(57)【要約】  貨幣入出金機１は、複数の貨幣収容部（紙幣カセット１７０、紙幣スタッカ１８０）と、貨幣収容部に対する処理を制御する制御部（３１）と、を備える。制御部（３１）は、精査処理において、複数の貨幣収容部のそれぞれに対し、貨幣の在高が不確定となり得る事象が生じたか否かに基づいて、貨幣収容部に収容された少なくとも１つの貨幣を計数して在高を確定する計数対象の貨幣収容部を設定し、計数対象以外の貨幣収容部については、貨幣の計数を行うことなく在高を確定させる。
2019142694.tif 000002
【特許請求の範囲】
【請求項１】
複数の貨幣収容部と、
前記貨幣収容部に対する処理を制御する制御部と、を備え、
前記制御部は、精査処理において、前記複数の貨幣収容部のそれぞれに対し、貨幣の在高が不確定となり得る事象が生じたか否かに基づいて、前記貨幣収容部に収容された少なくとも１つの貨幣を計数して在高を確定する計数対象の前記貨幣収容部を設定し、計数対象以外の前記貨幣収容部については、貨幣の計数を行うことなく在高を確定させる、
ことを特徴とする貨幣処理装置。
【請求項２】
前記制御部は、貨幣の在高が不確定となり得る事象が生じた前記貨幣収容部を貨幣の計数対象に設定する、
請求項１に記載の貨幣処理装置。
【請求項３】
前記制御部は、前記精査処理において、計数対象の前記貨幣収容部に収容された貨幣を計数した結果を確定した在高として設定する、
請求項１または２に記載の貨幣処理装置。
【請求項４】
前記制御部は、前記精査処理において、計数対象以外の前記貨幣収容部については、前記精査処理を行う前の在高を確定した在高として設定する、
請求項１ないし３の何れか一項に記載の貨幣処理装置。
【請求項５】
前記制御部は、計数対象に設定される前記貨幣収容部の指定を受け付け、指定された前記貨幣収容部と、貨幣の在高が不確定となり得る事象が生じた前記貨幣収容部とを、計数対象の前記貨幣収容部に設定する、
請求項１ないし４の何れか一項に記載の貨幣処理装置。
【請求項６】
前記制御部は、貨幣の在高が不確定となり得る事象が生じた前記貨幣収容部とともに当該貨幣収容部に収容された貨幣の金種と同一の金種の貨幣を収容する前記貨幣収容部を計数対象の前記貨幣収容部に設定する、
請求項１ないし５の何れか一項に記載の貨幣処理装置。
【請求項７】
前記制御部は、計数対象の前記貨幣収容部と計数対象以外の前記貨幣収容部の少なくとも一方に関する指標情報を作成する、
請求項１ないし６の何れか一項に記載の貨幣処理装置。
【請求項８】
前記指標情報は、計数対象の前記貨幣収容部と計数対象以外の前記貨幣収容部とが区別可能な情報である、
請求項７に記載の貨幣処理装置。
【請求項９】
前記指標情報は、計数対象の前記貨幣収容部に関する情報を含み、貨幣の計数が完了した前記貨幣収容部と、貨幣を計数中の前記貨幣収容部と、貨幣の計数待ちの前記貨幣収容部とが区別可能な情報である、
請求項７または８に記載の貨幣処理装置。
【請求項１０】
表示部を備え、
前記制御部は、前記指標情報を前記精査処理の実行中において、前記表示部に表示させる、
請求項７ないし９の何れか一項に記載の貨幣処理装置。
【請求項１１】
表示部を備え、
前記指標情報は、計数対象の前記貨幣収容部に関する情報であって、貨幣の計数を行った前記貨幣収容部に関する情報を含み、
前記制御部は、前記指標情報を、前記精査処理の後に、前記表示部に表示させる、
請求項７ないし１０の何れか一項に記載の貨幣処理装置。
【請求項１２】
記憶部を備え、
前記制御部は、前記指標情報を前記記憶部に記憶させる、
請求項７ないし１１の何れか一項に記載の貨幣処理装置。
【請求項１３】
前記制御部は、前記貨幣処理装置における処理を時系列で示す処理履歴中の前記精査処理の項目の指定を受け付けたことに基づいて、当該精査処理に関連する前記指標情報を前記記憶部から抽出する、
請求項１２に記載の貨幣処理装置。
【請求項１４】
計数対象の前記貨幣収容部は、第１の計数対象の前記貨幣収容部と第２の計数対象の前記貨幣収容部を含み、
前記第１の計数対象の前記貨幣収容部は、前記貨幣収容部に収容されたすべての貨幣が計数されて在高が確定される前記貨幣収容部であり、
前記第２の計数対象の前記貨幣収容部は、前記貨幣収容部に収容された貨幣の貨幣番号と収納順序を関連付けたリストと、前記貨幣収容部に収容された一部の貨幣の貨幣番号とが照合されることにより在高が確定される前記貨幣収容部である、
請求項１ないし１３の何れか一項に記載の貨幣処理装置。
【請求項１５】
貨幣処理装置と、前記貨幣処理装置に通信可能に接続された操作端末とを有する貨幣処理システムであって、
複数の貨幣収容部と、
前記貨幣収容部に対する処理を制御する制御部と、を備え、
前記制御部は、精査処理において、前記複数の貨幣収容部のそれぞれに対し、貨幣の在高が不確定となり得る事象が生じたか否かに基づいて、前記貨幣収容部に収容された少なくとも１つの貨幣を計数して在高を確定する計数対象の前記貨幣収容部を設定し、計数対象以外の前記貨幣収容部については、貨幣の計数を行うことなく在高を確定させる、
ことを特徴とする貨幣処理システム。
【請求項１６】
複数の貨幣収容部を備えた貨幣処理装置を用いる貨幣処理方法であって、
精査処理において、前記複数の貨幣収容部のそれぞれに対し、貨幣の在高が不確定となり得る事象が生じたか否かに基づいて、前記貨幣収容部に収容された少なくとも１つの貨幣を計数して在高を確定する計数対象の前記貨幣収容部を設定し、計数対象以外の前記貨幣収容部については、貨幣の計数を行うことなく在高を確定させる、
ことを特徴とする貨幣処理方法。
【発明の詳細な説明】
【技術分野】
【０００１】
本発明は、貨幣の入出金等の処理を行う貨幣処理装置、貨幣処理システムおよび貨幣処理方法に関する。
【背景技術】
【０００２】
金融機関に設置された種々の貨幣処理装置では、装置の保有在高が在高データとして管理されている。この在高データと実際の在高とが一致することを確認するための精査処理が、たとえば１日の業務終了時等において実行される。【０００３】
以下の特許文献１には、操作者が貨幣収容部から貨幣を取り出して精査を行う場合に、在高が不確定となっている貨幣収納部を表示する貨幣処理装置が開示されている。この貨幣処理装置によれば、操作者は、在高が不確定な貨幣収容部のみを精査の対象とすることができ、精査の効率化を図ることができる。また、在高が不確定となっていない貨幣収容部から、操作者が貨幣を取り出して精査を行うことにより、精査ミスが生じることを未然に防止することもできる。
【先行技術文献】
【特許文献】
【０００４】
【特許文献１】特許第４８３０４７１号公報
【発明の概要】
【発明が解決しようとする課題】
【０００５】
しかしながら、上記特許文献１の構成では、操作者が貨幣収容部から貨幣を取り出して計数する必要があるため、操作者の負担が大きい。これに対し、貨幣処理装置において自動で貨幣収容部に対する精査を行う構成も考えられるが、精査の際に全ての貨幣収容部に対して一律に貨幣の計数を行うと、精査処理が終了するまでに長時間を要してしまう。【０００６】
かかる課題に鑑み、本発明は、操作者の負担を軽減しながら効率的に貨幣収容部に対する精査を行うことが可能な貨幣処理装置、貨幣処理システムおよび貨幣処理方法を提供することを目的とする。
【課題を解決するための手段】
【０００７】
本発明の第１の態様は貨幣処理装置に関する。この態様に係る貨幣処理装置は、複数の貨幣収容部と、前記貨幣収容部に対する処理を制御する制御部と、を備える。ここで、前記制御部は、精査処理において、前記複数の貨幣収容部のそれぞれに対し、貨幣の在高が不確定となり得る事象が生じたか否かに基づいて、前記貨幣収容部に収容された少なくとも１つの貨幣を計数して在高を確定する計数対象の前記貨幣収容部を設定し、計数対象以外の前記貨幣収容部については、貨幣の計数を行うことなく在高を確定させる。【０００８】
本態様に係る貨幣処理装置によれば、制御部によって自動で貨幣収容部に対する精査処理が行われるため、操作者が貨幣を計数して精査を行う場合に比べ、操作者の負担を顕著に軽減できる。また、貨幣の在高が不確定となり得る事象が生じたか否かに基づいて、精査処理において貨幣を計数すべき貨幣収容部が設定されるため、精査を行うべき貨幣収容部に対して適切に、貨幣の精査が行われ得る。さらに、その他の貨幣収容部に対しては、貨幣の計数が行われないため、精査処理に要する時間を短縮できる。したがって、本態様に係る貨幣処理装置によれば、操作者の負担を軽減しながら効率的に貨幣収容部に対する精査を行うことができる。【０００９】
本態様に係る貨幣処理装置において、前記制御部は、貨幣の在高が不確定となり得る事象が生じた前記貨幣収容部を貨幣の計数対象に設定するよう構成され得る。【００１０】
このように、貨幣の計数対象を、貨幣の在高が不確定となり得る事象が生じた貨幣収容部に絞ることにより、精査処理をより効率的に進めることができる。【００１１】
本態様に係る貨幣処理装置において、前記制御部は、前記精査処理において、計数対象の前記貨幣収容部に収容された貨幣を計数した結果を確定した在高として設定するよう構成され得る。また、前記制御部は、前記精査処理において、計数対象以外の前記貨幣収容部については、前記精査処理を行う前の在高を確定した在高として設定するよう構成され得る。【００１２】
また、本態様に係る貨幣処理装置において、前記制御部は、計数対象に設定される前記貨幣収容部の指定を受け付け、指定された前記貨幣収容部と、貨幣の在高が不確定となり得る事象が生じた前記貨幣収容部とを、計数対象の前記貨幣収容部に設定するよう構成され得る。【００１３】
この構成によれば、貨幣の在高が不確定となり得る事象が生じた貨幣収容部の他に、操作者が、計数を行うべき貨幣収容部を指定できるため、精査処理の効率化を図りつつ、装置の利便性を高めることができる。たとえば、操作者は、当該貨幣処理装置による処理以外の事象により在高が不確定となり得る貨幣収容部が想定され得る場合に、その貨幣収容部を精査の対象に含めることができ、より適切に、各貨幣収容部における在高の適否を確認することができる。【００１４】
また、本態様に係る貨幣処理装置において、前記制御部は、貨幣の在高が不確定となり得る事象が生じた前記貨幣収容部とともに当該貨幣収容部に収容された貨幣の金種と同一の金種の貨幣を収容する前記貨幣収容部を計数対象の前記貨幣収容部に設定するよう構成され得る。【００１５】
この構成によれば、精査処理において、在高が不確定となり得る貨幣収容部とともに、当該貨幣収容部と同一金種の貨幣収容部について貨幣の計数が行われるため、各金種の在高をより適切に精査することができる。【００１６】
本態様に係る貨幣処理装置において、前記制御部は、計数対象の前記貨幣収容部と計数対象以外の前記貨幣収容部の少なくとも一方に関する指標情報を作成するよう構成され得る。【００１７】
この構成によれば、前記指標情報を、適宜、表示させ、あるいは、記憶部に記憶させて処理に用いることにより、貨幣処理装置の利便性を高めることができる。【００１８】
ここで、前記指標情報は、たとえば、計数対象の前記貨幣収容部と計数対象以外の前記貨幣収容部とが区別可能な情報とされ得る。【００１９】
あるいは、前記指標情報は、計数対象の前記貨幣収容部に関する情報を含み、貨幣の計数が完了した前記貨幣収容部と、貨幣を計数中の前記貨幣収容部と、貨幣の計数待ちの前記貨幣収容部とが区別可能な情報とされ得る。【００２０】
この場合、前記制御部は、前記指標情報を前記精査処理の実行中において、表示部に表示させるよう構成され得る。【００２１】
この構成によれば、操作者は、表示部に表示された指標情報を参照することにより、たとえば、計数対象とされた貨幣収容部を、精査処理中に知ることができ、精査処理が完了するまでに要する時間を概ね把握することができる。また、操作者は、指標情報を参照することにより、エラーが生じた貨幣収容部等、計数対象とすべき貨幣収容部に対して計数がなされるか否かを確認することができる。【００２２】
また、前記指標情報が、計数対象の前記貨幣収容部に関する情報であって、貨幣の計数を行った前記貨幣収容部に関する情報を含む場合、前記制御部は、当該指標情報を、前記精査処理の後に、表示部に表示させるよう構成され得る。【００２３】
この構成によれば、操作者は、精査処理の後に、貨幣の計数を行った貨幣収容部を把握でき、各貨幣収容部に対する精査の内容を確認することができる。また、操作者は、エラーが生じた貨幣収容部等、計数対象とすべき貨幣収容部に対して計数がなされたか否かを確認することができる。【００２４】
また、本態様に係る貨幣処理装置は、記憶部を備え、前記制御部は、前記指標情報を前記記憶部に記憶させるよう構成され得る。【００２５】
この構成によれば、操作者は、精査処理後に、適宜、記憶部から指標情報を読み出して、精査処理においてどの貨幣収容部に対して計数が行われたか等を確認することができる。また、メンテナンス等の場面においても、記憶部から情報を読み出して、精査処理においてどの貨幣収容部に対して計数が行われたか等を確認することができる。【００２６】
この構成において、前記制御部は、前記貨幣処理装置における処理を時系列で示す処理履歴中の前記精査処理の項目の指定を受け付けたことに基づいて、当該精査処理に関連する前記指標情報を前記記憶部から抽出するよう構成され得る。【００２７】
この構成によれば、操作者は、処理履歴の確認中に、適宜、当該処理履歴に含まれている精査の項目を指定することにより、簡便に、当該精査においてどの貨幣収容部に対して計数が行われたかを確認することができる。これにより、操作者は、処理履歴においてエラーが生じたとされる貨幣収容部等、計数が行われるべき貨幣収容部に対して、精査時に計数が行われたか否かを確認することができる。【００２８】
本態様に係る貨幣処理装置において、計数対象の前記貨幣収容部は、第１の計数対象の前記貨幣収容部と第２の計数対象の前記貨幣収容部を含み得る。ここで、前記第１の計数対象の前記貨幣収容部は、前記貨幣収容部に収容されたすべての貨幣が計数されて在高が確定される前記貨幣収容部であり、前記第２の計数対象の前記貨幣収容部は、前記貨幣収容部に収容された貨幣の貨幣番号と収納順序を関連付けたリストと、前記貨幣収容部に収容された一部の貨幣の貨幣番号とが照合されることにより在高が確定される前記貨幣収容部である。【００２９】
この構成によれば、第２の計数対象の貨幣収容部については、リストと貨幣番号とが照合されることにより在高が確定されるため、第２の計数対象の貨幣収容部に対する在高の確定処理をより迅速に行うことができる。【００３０】
本発明の第２の態様は、貨幣処理装置と、前記貨幣処理装置に通信可能に接続された操作端末とを有する貨幣処理システムに関する。この態様に係る貨幣処理システムは、複数の貨幣収容部と、前記貨幣収容部に対する処理を制御する制御部と、を備える。ここで、前記制御部は、精査処理において、前記複数の貨幣収容部のそれぞれに対し、貨幣の在高が不確定となり得る事象が生じたか否かに基づいて、前記貨幣収容部に収容された少なくとも１つの貨幣を計数して在高を確定する計数対象の前記貨幣収容部を設定し、計数対象以外の前記貨幣収容部については、貨幣の計数を行うことなく在高を確定させる。【００３１】
本態様に係る貨幣処理システムによれば、上記第１の態様と同様の効果が奏され得る。【００３２】
本発明の第３の態様は、複数の貨幣収容部を備えた貨幣処理装置を用いる貨幣処理方法に関する。この態様に係る貨幣処理方法は、精査処理において、前記複数の貨幣収容部のそれぞれに対し、貨幣の在高が不確定となり得る事象が生じたか否かに基づいて、前記貨幣収容部に収容された少なくとも１つの貨幣を計数して在高を確定する計数対象の前記貨幣収容部を設定し、計数対象以外の前記貨幣収容部については、貨幣の計数を行うことなく在高を確定させる。【００３３】
本態様に係る貨幣処理方法によれば、上記第１の態様と同様の効果が奏され得る。
【発明の効果】
【００３４】
以上のとおり、本発明によれば、操作者の負担を軽減しながら効率的に貨幣収容部に対する精査を行うことが可能な貨幣処理装置、貨幣処理システムおよび貨幣処理方法を提供することができる。【００３５】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３６】
【図１】図１は、実施形態に係る貨幣入出金機の構成を示す斜視図である。
【図２】図２は、実施形態に係る紙幣入出金ユニットの構成を示す図である。
【図３】図３は、実施形態に係る硬貨入出金ユニットの構成を示す図である。
【図４】図４は、実施形態に係る貨幣入出金機の構成を示すブロック図である。
【図５】図５は、実施形態に係る貨幣入出金機の構成を示すブロック図である。
【図６】図６（ａ）〜（ｄ）は、実施形態に係る、紙幣入出金ユニットにおける通常精査処理時の紙幣の流れを模式的に示す図である。
【図７】図７（ａ）〜（ｆ）は、実施形態に係る、硬貨入出金ユニットにおける通常精査処理時の硬貨の流れを模式的に示す図である。
【図８】図８（ａ）は、実施形態に係る、精査処理を示すフローチャートである。図８（ｂ）は、実施形態に係る通常精査処理を示すフローチャートである。
【図９】図９は、実施形態に係る、クイック精査処理を示すフローチャートである。
【図１０】図１０（ａ）、（ｂ）は、実施形態に係る、クイック精査処理において計数対象の貨幣処理部を表示する画面を示す図である。
【図１１】図１１（ａ）、（ｂ）は、実施形態に係る、クイック精査処理において計数対象の貨幣処理部を表示する画面を示す図である。
【図１２】図１２（ａ）、（ｂ）は、それぞれ、実施形態に係る、クイック精査処理が完了した際に表示される画面を示す図である。
【図１３】図１３（ａ）は、実施形態に係る電子ジャーナルの表示画面を示す図である。図１３（ｂ）は、図１３（ａ）の画面においてクイック精査処理の項目が選択された場合に表示される画面を示す図である。
【図１４】図１４（ａ）、（ｂ）は、変更例１に係る、クイック精査処理において貨幣を計数すべき貨幣収容部の指定を受け付けるための画面を示す図である。
【図１５】図１５（ａ）、（ｂ）は、変更例１に係る、クイック精査処理において貨幣を計数すべき貨幣収容部の指定を受け付けるための画面の他の構成例を示す図である。
【図１６】図１６（ａ）は、変更例１に係る、クイック精査処理のフローチャートの一部を示す図である。図１６（ｂ）は、変更例２に係る、クイック精査処理のフローチャートの一部を示す図である。
【図１７】図１７は、変更例３に係る、クイック精査処理を示すフローチャートである。
【図１８】図１８（ａ）は、変更例４に係る、クイック精査処理が完了した際に表示される画面を示す図である。図１８（ｂ）は、変更例５に係る、クイック精査処理のフローチャートの一部を示す図である。
【図１９】図１９（ａ）、（ｂ）は、変更例６に係る、クイック精査処理において精査対象の貨幣処理部を表示する画面を示す図である。
【図２０】図２０（ａ）、（ｂ）は、他の変更例に係る精査処理を示すフローチャートである。図２０（ｃ）は、図２０（ｂ）の処理において用いられる紙幣番号リストの構成を示す図である。
【００３７】
ただし、図面はもっぱら説明のためのものであって、この発明の範囲を限定するものではない。
【発明を実施するための形態】
【００３８】
以下、本発明の実施形態について図面を参照して説明する。本実施形態では、貨幣を計数する機能と、貨幣を入金および出金する機能とを備えた貨幣入出金機が、貨幣処理装置の一例として示されている。貨幣入出金機と上位端末とによって、貨幣処理システムが構成される。なお、各図には、適宜、貨幣入出金機の上下、左右および前後を示す矢印が付されている。
【００３９】
図１は、貨幣入出金機１の構成を示す斜視図である。
【００４０】
貨幣入出金機１は、銀行等の金融機関における窓口カウンタの内側で窓口業務を行う２人のテラー（窓口係）の間に設置される。貨幣入出金機１は、各テラーによって操作される上位端末２に通信ケーブル３を介して接続されている。
【００４１】
貨幣入出金機１は、外郭を構成する外装体１０内に、紙幣入出金ユニット１１と硬貨入出金ユニット１２とを備える。紙幣入出金ユニット１１は、外装体１０内の下側に設けられ、紙幣の入金処理、出金処理等を行う。硬貨入出金ユニット１２は、外装体１０内の上側に設けられ、硬貨の入金処理、出金処理等を行う。
【００４２】
図１に示すように、外装体１０は、左右方向の横幅よりも前後方向の奥行が長く、上下方向の高さが左右方向の横幅よりも高いほぼ直方体形状を有する。外装体１０は、本体１０ａと、本体１０ａの前上部に設けられた外装カバー１０ｂと、本体１０ａの前面に設けられた扉１０ｃとを備える。たとえば、外装カバー１０ｂは樹脂材料で形成され、本体１０ａおよび扉１０ｃは金属材料で形成される。
【００４３】
外装カバー１０ｂは、上方に回動可能に本体１０ａに支持されている。外装カバー１０ｂが上方に回動されることにより、硬貨入出金ユニット１２を引き出して、硬貨入出金ユニット１２に設置された硬貨スタッカ２０２（図３参照）等にアクセスすることが可能となる。
【００４４】
外装カバー１０ｂには、上面に硬貨入金口１３が形成され、前面に紙幣出金口１４が形成され、上面から前面にかけて湾曲する湾曲面に紙幣入金口１５が形成されている。これら硬貨入金口１３、紙幣出金口１４および紙幣入金口１５は、それぞれ、シャッター１３ａ、１４ａ、１５ａにより開閉される。
【００４５】
また、外装カバー１０ｂの下部の左右方向の両端には、それぞれ、硬貨出金ボックス１６ａ、１６ｂが設置され、さらに、硬貨出金ボックス１６ａ、１６ｂの間にリジェクトボックス１７が配置されている。硬貨出金ボックス１６ａ、１６ｂは、前方へ引き出して取り外すことができる。２つの硬貨出金ボックス１６ａ、１６ｂは、互いに同じ形状（左右対称）で、且つ、同等の容量を有している。リジェクトボックス１７は、前方へ引き出すことができる。リジェクトボックス１７は、リジェクト紙幣を収容するためのものである。
【００４６】
外装カバー１０ｂの後部には、操作表示部１８が設けられている。操作表示部１８は、前方斜め上方を向くように外装カバー１０ｂに固定されている。操作表示部１８は、ディスプレイとタッチセンサとからなるタッチパネルで構成される。操作表示部１８は、ディスプレイに各種の画像（画面）を表示するとともに、ディスプレイに対するユーザのタッチ操作をタッチセンサにより検出する。
【００４７】
外装カバー１０ｂの上面における硬貨入金口１３の両側の領域には、４つの占有キー１９が設けられている。４つの占有キー１９は、それぞれ、左側および右側のテラーが貨幣入出金機１の紙幣に係る取引処理の占有を指示するために操作される占有キー１９ａ、１９ｂと、それぞれ、左側および右側のテラーが貨幣入出金機１の硬貨に係る取引処理の占有を指示するために操作される占有キー１９ｃ、１９ｄとからなっている。
【００４８】
図２は、紙幣入出金ユニット１１の構成を模式的に示す図である。
【００４９】
紙幣入出金ユニット１１は、入金部１１０と、出金部１２０と、リジェクト部１３０と、搬送部１４０と、識別部１５０と、紙幣揃え部１６０と、２つの紙幣カセット１７０と、紙幣カセット１７０用の２つの一時保留部１７１と、３つの紙幣スタッカ１８０と、紙幣スタッカ１８０用の３つの一時保留部１８１と、を備える。
【００５０】
入金部１１０、出金部１２０およびリジェクト部１３０は、外装体１０内の上部の正面近傍に設けられる。入金部１１０は紙幣入金口１５に繋がり、紙幣入金口１５を通じて入金部１１０にバラ状態の紙幣が投入される。出金部１２０は紙幣出金口１４に繋がり、紙幣出金口１４を通じて出金部１２０からバラ状態の紙幣が取り出される。リジェクト部１３０は、上述のリジェクトボックス１７を備え、リジェクトボックス１７にリジェクト紙幣を収容する。
【００５１】
入金部１１０は、入金繰出機構１１１を備える。入金繰出機構１１１は、入金部１１０に投入された紙幣を一枚ずつ搬送部１４０へ繰り出す。出金部１２０は、主に、紙幣スタッカ１８０から繰り出された紙幣を受け取る。リジェクト部１３０は、主に、識別部１５０により属性（真偽、金種等）が識別できず、正常な紙幣と見做されない紙幣を受け取る。
【００５２】
搬送部１４０は、ベルト機構、ローラー機構等により構成され、メイン搬送路１４１と、入金搬送路１４２と、出金搬送路１４３と、リジェクト搬送路１４４と、２つのカセット搬送路１４５と、３つのスタッカ搬送路１４６とを含む。メイン搬送路１４１は、外装体１０内を前後方向に延びるようにループ状に形成され、図２において、時計回り方向と反時計回り方向に紙幣を搬送することが可能である。
【００５３】
入金搬送路１４２は、入金部１１０とメイン搬送路１４１との間に設けられる。出金搬送路１４３は、出金部１２０とメイン搬送路１４１との間に設けられる。リジェクト搬送路１４４は、リジェクト部１３０とメイン搬送路１４１との間に設けられる。カセット搬送路１４５は、紙幣カセット１７０および一時保留部１７１とメイン搬送路１４１との間に設けられる。スタッカ搬送路１４６は、紙幣スタッカ１８０および一時保留部１８１とメイン搬送路１４１との間に設けられる。
【００５４】
識別部１５０は、メイン搬送路１４１の上側のループの後部に設けられる。識別部１５０は、搬送部１４０を流れる紙幣の属性を識別し、識別結果を後述する制御部に出力する。識別される属性には、紙幣の真偽、金種、紙幣番号、紙幣の表裏の向きなどが含まれる。また、識別部１５０は紙幣の形状や厚みを識別し、正常な形状の紙幣が重なることなく搬送されていることを識別する。識別部１５０は、これらの識別結果を後述する制御部に出力する。
【００５５】
制御部は、識別結果を用いて、少なくとも１枚の紙幣を計数し、計数結果を作成する。計数結果は、少なくとも１枚の紙幣の合計枚数、合計金額、または紙幣番号の少なくとも１つを含む。さらに、計数結果は、紙幣の属性と枚数を関連付けた情報であってもよい。また、計数結果は、紙幣の属性と紙幣を識別した順序を関連付けた情報であってもよい。たとえば、計数結果は、紙幣番号を識別した順序と関連付けた情報を含んでもよい。また、識別部１５０が紙幣を計数し、計数結果を作成し、その計数結果を制御部に出力するようにしてもよい。
【００５６】
紙幣揃え部１６０は、搬送部１４０を流れる紙幣の表裏の向きを揃えるために設けられる。紙幣揃え部１６０は、識別部１５０の前方、すなわち、識別部１５０よりも出金時の紙幣の流れの下流側に配置される。紙幣揃え部１６０は、メイン搬送路１４１の一部を構成する反転部１６１および非反転部１６２を含む。
【００５７】
反転部１６１は、スイッチバック方式により紙幣を表裏反転させる反転機構を含む。反転部１６１を通過した紙幣は、紙幣の短手方向、すなわち天地方向に沿って表裏反転し、表裏および天地の向きが入れ替わる。非反転部１６２は、反転部１６１とほぼ同じ経路長を有し、紙幣を現状の向きのまま通過させる。たとえば、識別部１５０での識別の結果、表向きと識別された紙幣が非反転部１６２を通過し、裏向きと識別された紙幣が反転部１６１を通過することにより、紙幣の向きが表向きに揃えられる。
【００５８】
２つの紙幣カセット１７０と３つの紙幣スタッカ１８０は、外装体１０内において、搬送部１４０の下方に、前後に並ぶように設けられる。２つの紙幣カセット１７０が３つの紙幣スタッカ１８０の前方に設けられる。紙幣カセット１７０および紙幣スタッカ１８０は、前方に引き出し可能な支持ユニット１９０に支持され、扉１０ｃを開放することにより、外装体１０内に対して出し入れすることができる。
【００５９】
紙幣カセット１７０は、主に、紙幣スタッカ１８０から回収された紙幣や紙幣スタッカ１８０へ補充される紙幣を収納するために利用される。また、紙幣カセット１７０は、紙幣スタッカ１８０内の紙幣の自動精査を行う自動精査処理の際、紙幣を一時的に収納するために利用される。一方の紙幣カセット１７０を、２千円券、旧券、損券等の収納に利用することもできる。紙幣カセット１７０内には、紙幣が上下に積まれるように収納される。収納された紙幣を昇降させるために、紙幣カセット１７０内に昇降ステージ１７０ａが設けられる。
【００６０】
これら紙幣カセット１７０の向かって右側には、さらに、硬貨回収用の硬貨カセット２１３が配置される。この硬貨カセット２１３も、上述の支持ユニット１９０に支持され、前方に引き出し可能である。硬貨回収の際に、硬貨入出金ユニット１２から硬貨カセット２１３に硬貨が投入される。この他、硬貨カセット２１３は、損貨や硬貨スタッカ２０２をオーバーフローした硬貨の収容にも用いられる。また、設定によっては、リジェクト硬貨の収容先として硬貨カセット２１３が用いられ得る。
【００６１】
なお、支持ユニット１９０を前方に引き出した状態において、操作者（テラー以外の操作者を含む）は、紙幣カセット１７０および紙幣スタッカ１８０内の紙幣に触れることができるが、硬貨カセット２１３内の硬貨には触れることはできない。操作者は、支持ユニット１９０を前方に引き出した後、さらに硬貨カセット２１３を支持ユニット１９０から取り外すことによって、硬貨カセット２１３内の硬貨に触れることができる。
【００６２】
紙幣カセット１７０用の一時保留部１７１は、対応する紙幣カセット１７０の上方に配置される。一時保留部１７１は、紙幣カセット１７０に収納される紙幣を一時的に保留（収納）する。一時保留部１７１の出入口側には繰出機構（図示せず）が設けられ、紙幣カセット１７０内の紙幣を、一時保留部１７１を通じてカセット搬送路１４５に繰り出すことができる。
【００６３】
紙幣スタッカ１８０は、入金された紙幣を金種別に収納するために利用される。たとえば、３つの紙幣スタッカ１８０のそれぞれに対し、一万円、千円および５千円の金種が割り当てられ得る。紙幣スタッカ１８０内には、紙幣が上下に積まれるように収納される。収納された紙幣を昇降するため、紙幣スタッカ１８０内に昇降ステージ１８０ａが設けられる。
【００６４】
紙幣スタッカ１８０用の一時保留部１８１は、対応する紙幣スタッカ１８０の上方に配置される。一時保留部１８１は、紙幣スタッカ１８０に収納される紙幣を一時的に保留（収納）する。一時保留部１８１の出入口側には繰出機構（図示せず）が設けられ、紙幣スタッカ１８０内の紙幣を、一時保留部１８１を通じてスタッカ搬送路１４６に繰り出すことができる。
【００６５】
紙幣の入金処理の際には、紙幣入金口１５を通じて入金部１１０に投入された紙幣が、搬送部１４０により搬送されるとともに識別部１５０で識別され、正常と識別された紙幣が、金種毎に、対応する一時保留部１８１に一時的に保留される。正常でないと識別された紙幣は、出金部１２０に戻される。そして、確定操作がなされると一時保留部１８１内の紙幣が対応する紙幣スタッカ１８０内に収納される。
【００６６】
また、紙幣の出金処理の際には、出金操作により指定された金額の紙幣が、紙幣スタッカ１８０内から繰り出されて搬送部１４０により搬送され、識別部１５０で識別され、出金すべき金額の紙幣であると識別された紙幣が、出金部１２０に払い出される。その途中で、紙幣揃え部１６０により表裏の向きが揃えられて出金部１２０に払い出される。出金部１２０の紙幣は、紙幣出金口１４を通じて取り出される。なお、出金すべき金額の紙幣ではないと識別された紙幣は、リジェクト部１３０または紙幣カセット１７０に収納される。
【００６７】
図３は、貨幣入出金機１に搭載された硬貨入出金ユニット１２を上方から見た構成を模式的に示す図である。
【００６８】
硬貨入出金ユニット１２は、硬貨受け入れ部２０１と、６つの硬貨スタッカ２０２と、一括保留部２０３と、を備える。
【００６９】
硬貨受け入れ部２０１は、硬貨入金口１３の下方に配置され、硬貨入金口１３に投入された硬貨を受け入れる。硬貨入金口１３に投入された硬貨は、硬貨受け入れ部２０１に落下する。６つの硬貨スタッカ２０２は、それぞれ、金種ごとに硬貨を収納する。たとえば、６つの硬貨スタッカ２０２は、硬貨入出金ユニット１２の前側から順番に、１円硬貨、５円硬貨、１０円硬貨、５０円硬貨、１００円硬貨、５００円硬貨を収納する。一括保留部２０３は、入出金処理や精査処理、硬貨スタッカ２０２に収納された硬貨を回収する処理等において、硬貨を一時的に収納するためのものである。
【００７０】
さらに、硬貨入出金ユニット１２は、硬貨受け入れ部２０１に対応づけられた硬貨繰出機構２０４と、６つの硬貨スタッカ２０２にそれぞれ対応づけられた硬貨繰出機構２０５と、一括保留部２０３に対応づけられた硬貨繰出機構２０６と、搬送部２０７と、識別部２０８と、を備えている。
【００７１】
硬貨繰出機構２０４は、硬貨受け入れ部２０１に受け入れられた硬貨を、１枚ずつ搬送部２０７に繰り出す。６つの硬貨繰出機構２０５は、それぞれ、対応する硬貨スタッカ２０２に収納されている硬貨を、１枚ずつ搬送部２０７に繰り出す。硬貨繰出機構２０６は、一括保留部２０３に収納されている硬貨を、１枚ずつ搬送部２０７に繰り出す。
【００７２】
搬送部２０７は、時計回りの方向に循環移動を行う循環ベルト２０７ａを備えている。この循環ベルト２０７ａには、複数の突起部分（図示せず）が等間隔で設けられている。循環ベルト２０７ａに設けられた各突起部分に硬貨が引っかかることにより、循環ベルト２０７ａの循環移動に伴って、硬貨が１枚ずつ搬送される。こうして、上記各繰出機構により繰り出された硬貨が、循環ベルト２０７ａの循環経路に沿って搬送される。
【００７３】
識別部２０８は、硬貨の搬送経路上に設けられ、搬送部２０７によって１枚ずつ搬送される硬貨の金種および真偽等を識別する。識別部２０８における硬貨の識別情報は、後述する制御部３１に送信される。また、識別部２０８は硬貨の形状や厚みを識別し、正常な形状の硬貨が重なることなく搬送されていることを識別する。識別部２０８は、これらの識別結果を後述する制御部３１に出力する。制御部３１は、識別結果を用いて、少なくとも１枚の硬貨を計数し、計数結果を作成する。計数結果は、少なくとも１枚の硬貨の合計枚数または合計金額の少なくとも１つを含む。さらに、計数結果は、硬貨の金種と枚数を関連付けた情報であってもよい。また、識別部２０８が硬貨を計数し、計数結果を作成し、その計数結果を制御部３１に出力するようにしてもよい。
【００７４】
さらに、硬貨入出金ユニット１２は、一括保留部２０３に対応づけられた分岐機構２０９と、６つの硬貨スタッカ２０２にそれぞれ対応づけられた分岐機構２１０と、硬貨入金口１３に対応づけられた分岐機構２１１と、硬貨出金ボックス１６ａに対応付けられた分岐機構２１２と、を備えている。
【００７５】
分岐機構２０９は、搬送部２０７によって搬送される硬貨を選択的に搬送部２０７から分岐させて一括保留部２０３に送る。６つの分岐機構２１０は、それぞれ、搬送部２０７によって搬送される硬貨を選択的に搬送部２０７から分岐させて、対応する硬貨スタッカ２０２に送る。分岐機構２１１は、搬送部２０７により搬送される硬貨を選択的に搬送部２０７から分岐させて、硬貨を硬貨入金口１３（硬貨受け入れ部２０１）に移送する移送部（図示せず）に送る。分岐機構２１２は、搬送部２０７により搬送される硬貨を選択的に搬送部２０７から分岐させて、硬貨を硬貨出金ボックス１６ａと硬貨カセット２１３に振り分ける振分機構（図示せず）に送る。分岐機構２１２で分岐されなかった硬貨は、全て、搬送部２０７によって硬貨出金ボックス１６ｂに送られる。
【００７６】
貨幣入出金機１の左右両側にいるテラーは、貨幣入出金機１を使用して入金処理、出金処理の他、貨幣入出金機１に投入された紙幣および硬貨を計数する計数処理や、貨幣入出金機１に収容されている貨幣を計数して在高を確認する精査処理などの処理を行うことができる。
【００７７】
ここで、精査処理について説明する。貨幣入出金機１が保有するすべての貨幣の在高である装置の在高が管理されている。装置の在高は、入金処理、出金処理、補充処理および回収処理に伴い更新される。また、それぞれの貨幣収容部が保有する貨幣の在高である貨幣収容部の在高も管理されている。貨幣収容部の在高は、入金処理、出金処理、補充処理および回収処理に伴い、貨幣収容部毎に更新される。在高は、取引ログの一部として記憶されてもよい。また、在高は、貨幣入出金機１の外部に設けた記憶装置に記憶されてもよい。
【００７８】
正常な処理が行われている限り、貨幣入出金機１のすべての貨幣収容部の在高の合計は、装置の在高に等しい。しかし、後述の、在高が不確定となる事象が生じた場合は、貨幣収容部の在高が不確定となる。このような場合に精査処理が実行される。精査処理は、貨幣収容部に収容されているすべての貨幣を計数して在高を確定する処理であってもよい。また、精査処理は、貨幣収容部に収容されている一部の貨幣を計数して在高を確定する処理であってもよい。また、精査処理は、貨幣収容部に収容されている貨幣を計数せずに、精査処理を行う前の貨幣収容部在高を確定した在高とする処理であってもよい。精査処理を行うことにより、すべての貨幣収容部の在高が確定される。
【００７９】
また、精査処理は、精査処理を行う前の在高と精査処理の計数結果とを比較した結果を出力する処理を含んでもよい。特に、精査処理は、精査処理を行う前の装置の在高と、精査処理により確定された貨幣収容部の在高の合計とを比較した結果を出力する処理を含んでもよい。精査処理を行う前の装置の在高と、精査処理により確定された貨幣収容部の在高の合計が異なる場合に、両者を比較した結果を出力する処理が有用となる。このような現象は、たとえば、貨幣収容部から人手により貨幣が取り出された場合や、精査処理においてリジェクト貨幣が生じた場合に発生する。出力された結果を参照することにより、このような現象に対処することができる。具体的には、人手により取り出された貨幣を貨幣収容部に戻したり、リジェクト貨幣を再計数して貨幣収容部に戻してもよい。また、精査処理により確定された貨幣収容部の在高の合計を、装置の在高として確定してもよい。
【００８０】
本実施形態では、精査処理として、クイック精査処理と通常精査処理を行うことができる。
【００８１】
ここで、クイック精査処理は、貨幣収容部（紙幣スタッカ１８０、紙幣カセット１７０、硬貨スタッカ２０２および硬貨カセット２１３）に収容されている貨幣の在高が不確定となり得る事象に基づいて、貨幣収容部に対する貨幣の計数を行うか否かを決定する処理を含む。特に、クイック精査処理は、貨幣収容部に収容されている貨幣の在高が不確定となり得る事象が生じていない場合には、貨幣収容部に対する貨幣の計数を行うことなく貨幣収容部の在高を確定させる処理を含んでもよい。
【００８２】
たとえば、貨幣収容部のうち、収容されている貨幣の在高が不確定となり得る事象が生じている貨幣収容部は、精査処理において貨幣の計数を行う計数対象の貨幣収容部とされる。貨幣収容部のうち、収容されている貨幣の在高が不確定となり得る事象が生じていない貨幣収容部は、精査処理において貨幣の計数を行わない計数対象以外の貨幣収容部とされる。計数対象の貨幣収容部については、精査処理を行う前の在高が、計数した結果に書き換えられて、確定した在高とされる。計数対象以外の貨幣収容部については、精査処理を行う直前の在高がそのまま確定した在高とされる。それぞれの貨幣収容部の確定した在高は、貨幣入出金機１全体の在高に反映される。
【００８３】
また、通常精査処理とは、貨幣の在高が不確定となり得る事象の有無に拘わらず貨幣収容部（紙幣スタッカ１８０、紙幣カセット１７０、硬貨スタッカ２０２および硬貨カセット２１３）に対する貨幣の計数を行う精査処理のことである。クイック精査処理と通常精査処理の流れについては、図８（ａ）〜図９を参照して追って詳述する。
【００８４】
図４および図５は、貨幣入出金機１の構成を示すブロック図である。図４には、紙幣入出金ユニット１１に関する主要な構成が示されており、図５には、硬貨入出金ユニット１２に関する主要な構成が示されている。
【００８５】
図４および図５に示すように、貨幣入出金機１は、上述の紙幣入出金ユニット１１、硬貨入出金ユニット１２、操作表示部１８および占有キー１９の他に、制御部３１、記憶部３２、通信部３３および音声出力部３４を備えている。
【００８６】
制御部３１は、ＣＰＵ（Central Processing Unit）等の演算回路を備え、記憶部３２に記憶された動作プログラムに従って各部を制御する。制御部３１は、少なくとも、貨幣収容部に対する処理を制御する。具体的には、制御部３１は、貨幣収容部の精査処理を行う。また、制御部３１は、入金処理や出金処理を実行し、それに伴い、入金繰出機構１１１、搬送部１４０、識別部１５０、一時保留部１７１および貨幣収容部を制御してもよい。また、制御部３１は、記憶部３２、通信部３３、音声出力部３４、操作表示部１８、占有キー１９を含む、貨幣入出金機１のデバイスを制御してもよい。
【００８７】
記憶部３２は、ＲＯＭ（Read Only Memory）、ＲＡＭ（Random Access Memory）やハードディスク等の記憶媒体を備え、制御部３１の動作プログラムを記憶し、また、制御部３１の制御処理の際にワーク領域として利用される。通信部３３は、上位端末２との間で通信を行う。音声出力部３４は、スピーカを備え、制御部３１からの制御に従って、所定の音声を出力する。
【００８８】
さて、上記構成を備えた貨幣入出金機１では、入金や出金等の取引処理が行われることに応じて取引ログが記憶部３２に記憶され、貨幣入出金機１内の保有在高（装置の在高）が管理される。また、取引ログは、それぞれの貨幣収容部の在高を含んでもよい。入金処理により収容された貨幣の枚数や出金処理により払い出された貨幣の枚数に基づいて、装置の在高および貨幣収容部の在高が更新される。在高は、取引ログと区別して管理されてもよい。
【００８９】
金融機関では、記憶部３２に記憶されている在高情報と、実際に貨幣入出金機１に保有されている貨幣の在高とが一致することを確認するための精査処理が、業務終了時等の所定のタイミングで行われる。上記のように、本実施形態では、この精査処理として、クイック精査処理と通常精査処理の２種類の精査処理が選択的に行われる。
【００９０】
図６（ａ）〜（ｄ）は、紙幣入出金ユニット１１における通常精査処理時の紙幣の流れを模式的に示す図である。図６（ａ）〜（ｄ）において、点線は正常な紙幣の流れを示し、破線はリジェクト紙幣の流れを示している。
【００９１】
まず、図６（ａ）に示すように、３つの紙幣スタッカ１８０のうち１つから紙幣が繰り出され、繰り出された紙幣が紙幣カセット１７０に送られる。図６（ａ）では、左端の紙幣スタッカ１８０の紙幣が、左側の紙幣カセット１７０に送られる。こうして、１つの紙幣スタッカ１８０に収容されている全ての紙幣が所定の紙幣カセット１７０に送られる。なお、紙幣スタッカ１８０から紙幣カセット１７０に紙幣が送られる過程では、識別部１５０による紙幣の識別および計数は行われない。
【００９２】
次に、図６（ｂ）に示すように、紙幣カセット１７０から１枚ずつ紙幣が繰り出されて識別部１５０に送られる。ここでは、識別部１５０による紙幣の識別および計数が行われる。紙幣は、識別部１５０による識別結果に応じて、対応する紙幣スタッカ１８０またはリジェクト部１３０に送られる。すなわち、正常な紙幣は、対応する紙幣スタッカ１８０に送られ、識別不能なリジェクト紙幣は、リジェクト部１３０に送られる。こうして、１つの紙幣スタッカ１８０に対する紙幣の計数が完了する。なお、紙幣スタッカ１８０から紙幣カセット１７０に紙幣が送られる過程でも、識別部１５０による紙幣の識別および計数を行い、識別不能なリジェクト紙幣をリジェクト部１３０に送るようにしてもよい。
【００９３】
残り２つの紙幣スタッカ１８０に対しても、図６（ａ）、（ｂ）と同様の処理が行われる。これにより、残り２つの紙幣スタッカ１８０に対する紙幣の計数が実行される。こうして、全ての紙幣スタッカ１８０に対する紙幣の計数が完了すると、次に、上記処理によりリジェクトボックス１７に送られたリジェクト紙幣を、対応する紙幣スタッカ１８０に戻す操作が行われる。操作者は、リジェクトボックス１７からリジェクト紙幣を抜き取って、入金部１１０に投入する。
【００９４】
これにより、図６（ｃ）に示すように、入金部１１０から１枚ずつ紙幣が繰り出されて識別部１５０に送られる。その後、紙幣は、識別部１５０による識別結果に応じて、対応する紙幣スタッカ１８０の一時保留部１８１またはリジェクト部１３０に送られる。再度、リジェクト部１３０にリジェクト紙幣が送られた場合、操作者は、適宜、リジェクト紙幣を対応する金種の正常な紙幣に取り替えて、入金部１１０に投入する。
【００９５】
こうして、全ての紙幣が、対応する紙幣スタッカ１８０の一時保留部１８１に収容されると、操作者は、操作表示部１８に対して、確定操作を行う。これにより、図６（ｄ）に示すように、一時保留部１８１に収容された紙幣が、対応する紙幣スタッカ１８０に収容される。これにより、紙幣入出金ユニット１１に対する通常精査処理が完了する。
【００９６】
なお、右側の紙幣カセット１７０に旧券や損券等の紙幣が収容されている場合は、図６（ｃ）、（ｄ）の処理の前に、図６（ａ）、（ｂ）と同様の処理が右側の紙幣カセット１７０に対して実行される。
【００９７】
図７（ａ）〜（ｆ）は、硬貨入出金ユニット１２における通常精査処理時の硬貨の流れを模式的に示す図である。図７（ａ）〜（ｆ）において、点線は正常な硬貨の流れを示し、破線はリジェクト硬貨の流れを示している。ここでは、右側の硬貨出金ボックス１６ａにリジェクト硬貨が搬出される。
【００９８】
まず、図７（ａ）に示すように、６つの硬貨スタッカ２０２のうち１つから硬貨が繰り出され、繰り出された硬貨が一括保留部２０３に送られる。図７（ａ）では、左端の硬貨スタッカ２０２の硬貨が、一括保留部２０３に送られる。こうして、１つの硬貨スタッカ２０２に収容されている全ての硬貨が一括保留部２０３に送られる。なお、硬貨スタッカ２０２から一括保留部２０３に硬貨が送られる過程では、識別部２０８による硬貨の識別および計数は行われない。
【００９９】
次に、図７（ｂ）に示すように、一括保留部２０３から１枚ずつ硬貨が繰り出されて識別部２０８に送られる。ここでは、識別部２０８による硬貨の識別および計数が行われる。硬貨は、識別部２０８による識別結果に応じて、対応する硬貨スタッカ２０２または硬貨出金ボックス１６ａに送られる。すなわち、正常な硬貨は、対応する硬貨スタッカ２０２に送られ、識別不能なリジェクト硬貨は、硬貨出金ボックス１６ａに送られる。こうして、１つの硬貨スタッカ２０２に対する硬貨の計数が完了する。
【０１００】
残り５つの硬貨スタッカ２０２に対しても、図７（ａ）、（ｂ）と同様の処理が行われる。これにより、残り５つの硬貨スタッカ２０２に対する硬貨の計数が実行される。こうして、全ての硬貨スタッカ２０２に対する硬貨の計数が完了すると、次に、硬貨カセット２１３に対する硬貨の計数が行われる。ここでは、硬貨カセット２１３から硬貨が抜き取られて、抜き取られた硬貨が、硬貨入金口１３を介して硬貨受け入れ部２０１に投入される。
【０１０１】
これにより、図７（ｃ）に示すように、硬貨受け入れ部２０１から硬貨が繰り出され、繰り出された硬貨が一括保留部２０３に送られる。その後、図７（ｄ）に示すように、一括保留部２０３から１枚ずつ硬貨が繰り出されて識別部２０８に送られる。これにより、識別部２０８による硬貨の識別および計数が行われる。硬貨は、識別部２０８による識別結果に応じて、硬貨カセット２１３または硬貨出金ボックス１６ａに送られる。すなわち、正常な硬貨は、硬貨カセット２１３に送られ、識別不能なリジェクト硬貨は、硬貨出金ボックス１６ａに送られる。こうして、硬貨カセット２１３に対する硬貨の計数が完了する。
【０１０２】
次いで、上記処理により硬貨出金ボックス１６ａに送られたリジェクト硬貨を、対応する硬貨スタッカ２０２または硬貨カセット２１３に戻す操作が行われる。ここでは、硬貨出金ボックス１６ａからリジェクト硬貨が抜き取られて、硬貨受け入れ部２０１に投入される。これにより、図７（ｅ）に示すように、投入された全ての硬貨が一括保留部２０３に送られる。
【０１０３】
その後、図７（ｆ）に示すように、一括保留部２０３から１枚ずつ硬貨が繰り出されて識別部２０８に送られる。このとき、識別部２０８による硬貨の識別および計数が行われる。硬貨は、識別部２０８による識別結果に応じて、対応する硬貨スタッカ２０２または硬貨カセット２１３に送られる。リジェクト硬貨があれば、硬貨出金ボックス１６ａに送られて、操作者により同様の操作が繰り返される。こうして、硬貨入出金ユニット１２に対する通常精査処理が完了する。
【０１０４】
以上のように、通常精査処理では、紙幣入出金ユニット１１の全ての貨幣収容部（紙幣スタッカ１８０、紙幣カセット１７０）に対して紙幣の計数が行われ、また、硬貨入出金ユニット１２の全ての貨幣収容部（硬貨スタッカ２０２、硬貨カセット２１３）に対して硬貨の計数が行われる。すなわち、通常精査処理は、より精緻に貨幣の精査を行う場合の精査処理である。
【０１０５】
これに対し、クイック精査処理では、貨幣収容部のうち、貨幣の在高が不確定となり得る所定の事象が生じていない貨幣収容部に対しては貨幣の計数が行われることなく在高がそのまま確定され、貨幣の在高が不確定となり得る所定の事象が生じている貨幣収容部に対してのみ貨幣の計数が行われる。すなわち、クイック精査処理は、より簡易かつ効率的に貨幣の精査を行う場合の精査処理である。クイック精査処理では、図６（ａ）〜（ｄ）および図７（ａ）〜（ｆ）の処理が、貨幣の在高が不確定となり得る所定の事象が生じている貨幣収容部に対してのみ実行される。
【０１０６】
ここで、「在高が不確定」とは、各貨幣収容部に収容されている実際の在高が、取引ログにより管理されている在高と一致すると確定できない場合のことをいう。したがって、貨幣の在高が不確定となり得る所定の事象としては、たとえば、貨幣収容部から貨幣が不適切に抜き取られた可能性がある事象や、取引ログの在高情報が適正に更新されなかった可能性がある事象等が挙げられ得る。本実施形態では、貨幣の在高が不確定となり得る所定の事象として、たとえば、以下の事象が挙げられ得る。ただし、貨幣の在高が不確定となり得る事象は、必ずしも以下に限られるものではない。
【０１０７】
＜紙幣スタッカ１８０の在高＞
（１）紙幣入出金ユニット１１が異常状態になったこと。
（２）扉１０ｃが開けられ支持ユニット１９０が引き出されたこと。
（３）出金時にリジェクト紙幣が発生したこと。
（４）リジェクトボックス１７が抜き取られたこと。
（５）電源オフ時に扉１０ｃが開けられたこと。
【０１０８】
＜紙幣カセット１７０の在高＞
（６）紙幣入出金ユニット１１が異常状態になったこと。
（７）扉１０ｃが開けられ支持ユニット１９０が引き出されたこと。
（８）紙幣カセット１７０が抜き取られたこと。
（９）リジェクトボックス１７が抜き取られたこと。
【０１０９】
＜硬貨スタッカ２０２の在高＞
（１０）硬貨入出金ユニット１２が異常状態になったこと。
（１１）外装カバー１０ｂが開けられ硬貨入出金ユニット１２が引出されたこと。
（１２）電源オフ時に外装カバー１０ｂが開けられたこと。
【０１１０】
＜硬貨カセット２１３の在高＞
（１３）硬貨入出金ユニット１２が異常状態になったこと。
（１４）硬貨カセット２１３が抜き取られたこと。
（１５）電源オフ時に外装カバー１０ｂが開けられたこと。
【０１１１】
なお、上記において「異常状態」とは、紙幣または硬貨の繰出しが不良である状態や、紙幣スタッカ１８０および硬貨スタッカ２０２に対する紙幣および硬貨の集積に異常が生じた状態、紙幣入出金ユニット１１および硬貨入出金ユニット１２における通信が遮断された状態等が挙げられ得る。
【０１１２】
これらの事象は、図４および図５に示した記憶部３２にログ情報として記憶され、クイック精査処理において参照される。制御部３１は、クイック精査処理において、前回の精査処理の後に、貨幣入出金機１に上記事象が生じているか否かによって、該当する貨幣収容部の在高が確定されるか不確定であるかを判定し、判定結果に応じて当該貨幣収容部に対して計数を行うか否かを決定する。
【０１１３】
たとえば、クイック精査処理の実行時に、上記（１）〜（５）のいずれの事象も生じていない場合、制御部３１は、３つの紙幣スタッカ１８０の在高が何れも確定していると判定して、これら紙幣スタッカ１８０に対する紙幣の計数を行わない。具体的には、３つの紙幣スタッカ１８０のそれぞれに実際に収容されている紙幣の在高は、取引ログで管理されているそれぞれの在高と一致するものとして処理される。また、上記（６）〜（９）のいずれの事象も生じていない場合、制御部３１は、２つの紙幣カセット１７０の在高が何れも確定していると判定して、これら紙幣カセット１７０に対する紙幣の計数を行わない。具体的には、２つの紙幣カセット１７０のそれぞれに実際に収容されている紙幣の在高は、取引ログで管理されているそれぞれの在高と一致するものとして処理される。
【０１１４】
また、クイック精査処理の実行時に、上記（１０）〜（１２）のいずれの事象も生じていない場合、制御部３１は、６つの硬貨スタッカ２０２の在高が確定したと判定して、これら６つの硬貨スタッカ２０２に対する硬貨の計数を行わない。具体的には、６つの硬貨スタッカ２０２のそれぞれに実際に収容されている硬貨の在高は、取引ログで管理されているそれぞれの在高と一致するものとして処理される。さらに、クイック精査処理の実行時に、上記（１３）〜（１５）のいずれの事象も生じていない場合、制御部３１は、硬貨カセット２１３の在高が確定したと判定して、硬貨カセット２１３に対する硬貨の計数を行わない。具体的には、硬貨カセット２１３に実際に収容されている硬貨の在高は、取引ログで管理されている在高と一致するものとして処理される。
【０１１５】
なお、上記（１）〜（５）の事象は、３つの紙幣スタッカ１８０の全体に対して在高が不確定であるか否かを判定するためものであるが、紙幣スタッカ１８０ごとに在高が不確定であるか否かを判定するための事象が設定されてもよい。たとえば、上記（２）の事象に代えて、「支持ユニット１９０が引出されて、何れかの紙幣スタッカ１８０の蓋が開けられたこと」を事象として含めておき、蓋が開けられた紙幣スタッカ１８０のみを在高が不確定であると判定し、その他の紙幣スタッカ１８０は在高が確定していると判定するようにしてもよい。同様に、上記（１１）の事象についても、「硬貨入出金ユニット１２が引出されて、何れかの硬貨スタッカ２０２の蓋が開けられたたこと」との事象に置き換えて、硬貨スタッカ２０２ごとに、在高不確定の有無を判定してもよい。
【０１１６】
本実施形態では、精査処理において、上述の通常精査処理とクイック精査処理の何れかが選択的に実行される。たとえば、通常精査処理とクイック精査処理の何れを実行するかが、操作者によって選択されてもよいし、予め通常精査処理とクイック精査処理の何れを実行するかを設定しておいてもよい。あるいは、日や曜日によって、通常精査処理とクイック精査処理が自動的に切り替えられてもよい。本実施形態では、操作者からの選択指示に応じて、クイック精査処理と通常精査処理の何れか一方が実行されることが想定されている。
【０１１７】
以下、貨幣入出金機１における精査処理について、図８（ａ）〜図９を参照して説明する。
【０１１８】
図８（ａ）は、精査処理を示すフローチャートである。
【０１１９】
制御部３１は、操作表示部１８に表示された受付画面により、精査処理の指示を受け付けたか否かを判定する（Ｓ１０１）。ここで、操作者は、精査処理の指示とともに、通常精査処理とクイック精査処理の何れを実行するかの指示を入力し、さらに、紙幣入出金ユニット１１と硬貨入出金ユニット１２の何れについて精査処理を行うかの指示を入力する。
【０１２０】
精査処理の指示を受け付けると（Ｓ１０１：ＹＥＳ）、制御部３１は、さらに、精査処理として通常精査処理とクイック精査処理の何れが選択されたかを判定する（Ｓ１０２）。クイック精査処理が選択された場合（Ｓ１０２：ＹＥＳ）、制御部３１は、前回の精査処理の後に記憶されたログ情報を記憶部３２から取得して（Ｓ１０３）、クイック精査処理を実行する（Ｓ１０４）。他方、通常精査処理が選択された場合（Ｓ１０２：ＮＯ）、制御部３１は、通常精査処理を実行する（Ｓ１０５）。
【０１２１】
図８（ｂ）は、通常精査処理（Ｓ１０５）を示すフローチャートである。
【０１２２】
制御部３１は、まず、操作者により、紙幣入出金ユニット１１と硬貨入出金ユニット１２の何れが精査処理の対象として選択されたかを判定する（Ｓ２０１）。紙幣入出金ユニット１１のみが精査処理の対象とされた場合、制御部３１は、全ての紙幣スタッカ１８０および全ての紙幣カセット１７０を紙幣計数の対象に設定して（Ｓ２０３）、紙幣の計数を実行する（Ｓ２０４）。また、硬貨入出金ユニット１２のみが精査処理の対象とされた場合、制御部３１は、全ての硬貨スタッカ２０２および硬貨カセット２１３を硬貨計数の対象に設定して（Ｓ２０２）、硬貨の計数を実行する（Ｓ２０４）。紙幣入出金ユニット１１と硬貨入出金ユニット１２の両方が精査処理の対象とされた場合、制御部３１は、紙幣スタッカ１８０、紙幣カセット１７０、硬貨スタッカ２０２および硬貨カセット２１３の全てを計数対象に設定して（Ｓ２０２、Ｓ２０３）、紙幣および硬貨の計数を実行する（Ｓ２０４）。
【０１２３】
図９は、クイック精査処理（Ｓ１０４）を示すフローチャートである。
【０１２４】
制御部３１は、操作者により、紙幣入出金ユニット１１と硬貨入出金ユニット１２の何れが精査処理の対象として選択されたかを判定する（Ｓ３０１）。紙幣入出金ユニット１１のみが選択された場合、制御部３１は、ステップＳ３０８〜Ｓ３１３の処理を行った後、ステップＳ３１４において、紙幣の計数処理を実行する。硬貨入出金ユニット１２のみが選択された場合、制御部３１は、ステップＳ３０２〜Ｓ３０７の処理を行った後、ステップＳ３１４において、硬貨の計数処理を実行する。紙幣入出金ユニット１１と硬貨入出金ユニット１２の両方が選択された場合、制御部３１は、ステップＳ３０２〜Ｓ３０７の処理とステップＳ３０８〜Ｓ３１３の処理の両方を行った後、ステップＳ３１４において、紙幣および硬貨の計数処理を実行する。
【０１２５】
ステップＳ３０２において、制御部３１は、図３に示した６つの硬貨スタッカ２０２の金額が確定しているか否かを判定する。具体的には、制御部３１は、前回の精査処理の後に、上述の事象（１０）〜（１２）の何れも生じていない場合に、硬貨スタッカ２０２の金額が不確定になっていないと判定する。この判定は、図８（ａ）のステップＳ１０３で取得したログ情報に基づいて行われる。
【０１２６】
硬貨スタッカ２０２の金額が確定している場合（Ｓ３０２：ＹＥＳ）、制御部３１は、全ての硬貨スタッカ２０２を計数の対象外に設定し（Ｓ３０３）、処理をステップＳ３０５に進める。他方、硬貨スタッカ２０２の金額が確定していない場合（Ｓ３０２：ＮＯ）、すなわち、前回の精査処理の後に、上述の事象（１０）〜（１２）の何れかが生じ、在高が不確定になった場合、制御部３１は、全ての硬貨スタッカ２０２を計数の対象に設定し（Ｓ３０４）、処理をステップＳ３０５に進める。
【０１２７】
ステップＳ３０５において、制御部３１は、図３に示した硬貨カセット２１３の金額が確定しているか否かを判定する。具体的には、制御部３１は、前回の精査処理の後に、上述の事象（１３）〜（１５）の何れも生じていない場合に、硬貨カセット２１３の金額が不確定になっていないと判定する。この判定は、図８（ａ）のステップＳ１０３で取得したログ情報に基づいて行われる。
【０１２８】
硬貨カセット２１３の金額が確定している場合（Ｓ３０５：ＹＥＳ）、制御部３１は、硬貨カセット２１３を計数の対象外に設定し（Ｓ３０６）、処理をステップＳ３１４に進める。他方、硬貨カセット２１３の金額が確定していない場合（Ｓ３０５：ＮＯ）、すなわち、前回の精査処理の後に、上述の事象（１３）〜（１５）の何れかが生じ、在高が不確定になった場合、制御部３１は、硬貨カセット２１３を計数の対象に設定し（Ｓ３０７）、処理をステップＳ３１４に進める。
【０１２９】
ステップＳ３０８において、制御部３１は、図２に示した３つの紙幣スタッカ１８０の金額が確定しているか否かを判定する。具体的には、制御部３１は、前回の精査処理の後に、上述の事象（１）〜（５）の何れも生じていない場合に、紙幣スタッカ１８０の金額が不確定になっていないと判定する。この判定は、図８（ａ）のステップＳ１０３で取得したログ情報に基づいて行われる。
【０１３０】
紙幣スタッカ１８０の金額が確定している場合（Ｓ３０８：ＹＥＳ）、制御部３１は、３つの紙幣スタッカ１８０の全てを計数の対象外に設定し（Ｓ３０９）、処理をステップＳ３１１に進める。他方、紙幣スタッカ１８０の金額が確定していない場合（Ｓ３０８：ＮＯ）、すなわち、前回の精査処理の後に、上述の事象（１）〜（５）の何れかが生じ、在高が不確定になった場合、制御部３１は、３つの紙幣スタッカ１８０を計数の対象に設定し（Ｓ３１０）、処理をステップＳ３１１に進める。
【０１３１】
ステップＳ３１１において、制御部３１は、図２に示した２つの紙幣カセット１７０の金額が確定しているか否かを判定する。具体的には、制御部３１は、前回の精査処理の後に、上述の事象（６）〜（９）の何れも生じていない場合に、紙幣カセット１７０の金額が不確定になっていないと判定する。この判定は、図８（ａ）のステップＳ１０３で取得したログ情報に基づいて行われる。
【０１３２】
紙幣カセット１７０の金額が確定している場合（Ｓ３１１：ＹＥＳ）、制御部３１は、紙幣カセット１７０を計数の対象外に設定し（Ｓ３１２）、処理をステップＳ３１４に進める。他方、紙幣カセット１７０の金額が確定していない場合（Ｓ３１１：ＮＯ）、すなわち、前回の精査処理の後に、上述の事象（６）〜（９）の何れかが生じ、在高が不確定になった場合、制御部３１は、紙幣カセット１７０を計数の対象に設定し（Ｓ３１３）、処理をステップＳ３１４に進める。
【０１３３】
ステップＳ３１４において、制御部３１は、ステップＳ３０４、Ｓ３０７、Ｓ３１０、Ｓ３１３で計数対象に設定された貨幣収容部に対する計数を実行する。計数対象外に設定された貨幣収容部には、取引ログで管理されている、精査処理を実行する直前の在高がそのまま確定された在高とされる。ステップＳ３０４、Ｓ３０７、Ｓ３１０、Ｓ３１３の何れにおいても計数対象の貨幣収容部が設定されなかった場合、制御部３１は、ステップＳ３１４をスキップする。この場合、全ての貨幣収容部に対し、取引ログで管理されている、精査処理を実行する直前の在高が確定された在高とされる。
【０１３４】
なお、図９の処理においては、ステップＳ３０８において判定される事象（上記（１）〜（５）の事象）が、上記のとおり、３つの紙幣スタッカ１８０の全体に対して在高が不確定であるか否かを判定するものであるため、ステップＳ３０８の判定がＹＥＳであると、全ての紙幣スタッカ１８０が計数対象に設定される。これに対し、ステップＳ３０８において判定される事象が３つの紙幣スタッカ１８０に個別に適用され得るものである場合は、ステップＳ３０８の判定結果に応じて、紙幣スタッカ１８０ごとに、計数対象または計数対象外に設定される。同様に、ステップＳ３０２において判定される事象が６つの硬貨スタッカ２０２に個別に適用され得るものである場合は、硬貨スタッカ２０２ごとに計数対象または計数対象外に設定される。
【０１３５】
図８（ａ）に戻り、上記のようにして、クイック精査処理（Ｓ１０４）または通常精査処理（Ｓ１０５）を実行した後、制御部３１は、精査後処理を実行する（Ｓ１０６）。
【０１３６】
具体的には、制御部３１は、ステップＳ１０６において、精査処理で確定した各貨幣収容部の在高の合計と、取引ログで管理されている、精査処理を実行する直前の装置の在高とを比較し、両在高が一致するか否かを判定する。ここで、両在高が一致しない場合、制御部３１は、さらに両在高の差額を算出し、両在高が一致しないこと、および両在高の差額を報知するための処理を実行する。
【０１３７】
また、ステップＳ１０６の精査後処理では、上述のリジェクト戻しの処理が行われる。すなわち、リジェクトボックス１７または硬貨出金ボックス１６ａにリジェクト紙幣またはリジェクト硬貨が収容されている場合、操作者は、リジェクト紙幣またはリジェクト硬貨を抜き取って貨幣入出金機１に投入し、リジェクト紙幣またはリジェクト硬貨の計数を行わせる。こうして、全ての貨幣について精査が完了すると、精査処理が終了する。
【０１３８】
精査処理に関する情報（指標情報）は、ログ情報として記憶部３２に記憶される。この情報には、精査処理の結果とともに、どの貨幣収容部に対して計数が行われたかを示す情報が含まれる。
【０１３９】
次に、クイック精査処理において表示される画面について説明する。以下に説明する画面は、制御部３１による制御の下で作成された指標情報が、操作表示部１８に出力されて表示される。
【０１４０】
図１０（ａ）、（ｂ）は、クイック精査処理において計数対象の貨幣処理部を表示する画面を示す図である。ここでは、上記図９の処理により、３つの紙幣スタッカ１８０のみが計数対象に設定されている。図１０（ａ）は、貨幣収容部に対する計数処理（図９のステップＳ３１４）が実行される前の状態を示し、図１０（ｂ）は、計数処理が開始された後の状態を示している。
【０１４１】
図１０（ａ）に示すように、クイック精査処理における画面は、紙幣入出金ユニット１１を示す画像Ｄ１０と、硬貨入出金ユニット１２を示す画像Ｄ２０とを含んでいる。画像Ｄ１０には、３つの紙幣スタッカ１８０に対応する３つの表示要素Ｄ１１ａ〜Ｄ１１ｃと、２つの紙幣カセット１７０に対応する２つの表示要素Ｄ１２ａ、Ｄ１２ｂが含まれている。また、画像Ｄ２０には、６つの硬貨スタッカ２０２に対応する６つの表示要素Ｄ２１ａ〜Ｄ２１ｆと、硬貨カセット２１３に対応する表示要素Ｄ２２が含まれている。
【０１４２】
これらの表示要素のうち、図９のステップＳ３０２〜Ｓ３１３の処理により計数対象となった貨幣収容部に対応する表示要素が、その他の表示要素と区別可能に表示される。たとえば、計数対象となった貨幣収容部に対応する表示要素は、所定の色が付されることにより、その他の表示要素から区別される。その他の形態によって、計数対象となった貨幣収容部に対応する表示要素がその他の貨幣収容部に対応する表示要素から区別されてもよい。ここでは、３つの紙幣スタッカ１８０のみが計数対象に設定されているため、表示要素Ｄ１１ａ〜Ｄ１１ｃに所定の色が付されている。
【０１４３】
なお、在高が不確定となり得る事象が貨幣収容部ごとに個別に判定される場合は、在高が不確定となった貨幣収容部ごとに色が付されることになる。たとえば、最も手前と手前から２番目の紙幣カセット１７０のみが在高が不確定となった場合、表示要素Ｄ１２ａ、Ｄ１２ｂのみに色が付される。
【０１４４】
その後、計数処理が進むと、図１０（ｂ）に示すように、計数対象となった貨幣収容部に対応する表示要素の表示形態が、計数済み、計数中、および計数待ちに応じた表示形態に変化する。たとえば、計数済み、計数中、および計数待ちに応じて、表示形態の色が変えられる。その他の形態によって、計数済み、計数中、および計数待ちであることが表示されてもよい。図１０（ｂ）の例では、最も奥の紙幣スタッカ１８０に対する計数が完了し、奥から２番目の紙幣スタッカ１８０に対する計数が進行中であり、最も前側の紙幣スタッカ１８０は計数待ちの状態にある。
【０１４５】
図１１（ａ）、（ｂ）は、クイック精査処理において計数対象の貨幣処理部を表示する他の画面の例を示す図である。ここでは、図９の処理により、６つの硬貨スタッカ２０２のみが計数対象に設定されている。図１１（ａ）は、貨幣収容部に対する計数処理（図９のステップＳ３１４）が実行される前の状態を示し、図１１（ｂ）は、計数処理が開始された後の状態を示している。
【０１４６】
ここでは、６つの硬貨スタッカ２０２のみが計数対象に設定されているため、図１１（ａ）に示すように、６つの硬貨スタッカ２０２に対応する表示要素Ｄ２１ａ〜Ｄ２１ｆに所定の色が付されている。その後、計数が進むと、図１１（ｂ）に示すように、計数対象となった貨幣収容部に対応する表示要素の表示形態が、計数済み、計数中、および計数待ちに応じた表示形態に変化する。ここでは、前側２つの硬貨スタッカ２０２に対する計数が完了し、前から３番目の硬貨スタッカ２０２に対する計数が進行中である。その他３つの硬貨スタッカ２０２は、計数待ちの状態にある。
【０１４７】
なお、上述のように、クイック精査処理において、硬貨スタッカ２０２に対する計数処理により生じたリジェクト硬貨が硬貨カセット２１３に搬送されるように、貨幣入出金機１を設定することも可能である。この設定がなされた場合、計数対象とされた硬貨スタッカ２０２から生じたリジェクト硬貨が硬貨カセット２１３に搬送されると、図９の処理とは別に、硬貨カセット２１３が計数対象として追加される。
【０１４８】
この場合、図１１（ｂ）に示すように、硬貨の計数が開始された後、リジェクト硬貨が生じたタイミングで、硬貨カセット２１３に対応する表示要素Ｄ２２に、計数対象であることを示す色が付される。このような設定がなされていない場合は、硬貨カセット２１３に対応する表示要素Ｄ２２に、計数対象であることを示す色は付されない。
【０１４９】
図１２（ａ）、（ｂ）は、それぞれ、クイック精査処理が完了した際に表示される画面を示す図である。
【０１５０】
クイック精査処理が完了すると、まず、図１２（ａ）の画面Ｄ３０が表示され、この画面Ｄ３０に含まれているボタンＢ３１がタッチされると、図１２（ｂ）の画面が表示される。
【０１５１】
図１２（ａ）に示すように、画面Ｄ３０は、精査結果の概要を示すための領域Ｒ３１と、ボタンＢ３１、Ｂ３２が配置される領域Ｒ３２とに区分されている。領域Ｒ３１には、金種（貨幣収容部）ごとに、精査処理により計数が行われたか否かが示される。また、計数が行われた金種（貨幣収容部）に対しては、計数に基づく在高とログ情報に基づく在高とが一致したか否かを示す表記（ここでは、そのことを示す文字）が含まれる。
【０１５２】
ここで、在高が不一致であった金種（貨幣収容部）に対する表記（文字）は、他の金種（貨幣収容部）に対する表記（文字）と区別可能な状態で表示される。たとえば、在高が不一致であった金種（貨幣収容部）に対する表記（文字）が、赤色で表示される。さらに、計数が行われた金種（貨幣収容部）に対する表記（文字）と、計数が行われなかった金種（貨幣収容部）に対する表記（文字）とが互いに区別可能に表示されてもよい。たとえば、計数が行われた金種（貨幣収容部）に対する表記（文字）が緑色で表示され、計数が行われなかった金種（貨幣収容部）に対する表記（文字）が青色で表示されてもよい。
【０１５３】
ボタンＢ３１は、クイック精査処理の結果をさらに詳細に表示させるためのボタンである。ボタンＢ３２は、クイック精査処理の結果の表示を終了させるためのボタンである。操作者がボタンＢ３１にタッチすると、図１２（ａ）の画面Ｄ３０に代えて図１２（ｂ）の画面Ｄ４０が表示される。
【０１５４】
図１２（ｂ）に示すように、画面Ｄ４０は、精査結果の詳細を示すための領域Ｒ４１と、ボタンＢ４１、Ｂ４２が配置される領域Ｒ４２とに区分されている。領域Ｒ４１には、金種（貨幣収容部）ごとに、計数に基づく在高とログ情報に基づく在高との差額が示される。ここでは、千円の金種（貨幣収容部）に対して１００００円の差額が生じている。計数に基づく在高がログ情報に基づく在高よりも少ない場合に、差額がマイナスで表記される。
【０１５５】
さらに、計数が行われた金種（貨幣収容部）の欄は、そのことが識別可能に表示される。図１２（ｂ）の例では、計数が行われた金種（貨幣収容部）の欄に、そのことを示すマークＭ４１が付記されている。マークＭ４１以外の方法により、計数が行われた金種（貨幣収容部）の欄が識別可能に表示されてもよい。この他、領域Ｒ４１には、差額の総合計の金額が表示される。ここでは、差額の総合計が１００００円であることが示されている。
【０１５６】
ボタンＢ４１は、画面を図１２（ａ）の画面Ｄ３０に戻すためのボタンである。ボタンＢ４２は、クイック精査処理の結果の表示を終了させるためのボタンである。操作者がボタンＢ４１にタッチすると、図１２（ｂ）の画面Ｄ４０に代えて図１２（ａ）の画面Ｄ３０が表示される。
【０１５７】
なお、クイック精査処理の結果は、クイック精査完了時のみならず、その後の所望のタイミングで適宜表示させることができる。たとえば、電子ジャーナルの表示時にクイック精査処理の結果を表示させることもできる。
【０１５８】
図１３（ａ）は、電子ジャーナルの画面Ｄ５０を示す図である。
【０１５９】
電子ジャーナルの画面Ｄ５０には、処理履歴を時間軸順に示すリストＬ５１が含まれる。処理履歴として表示する内容は、操作者が操作表示部１８から入力した情報であってもよく、ログ情報であってもよく、取引ログに基づく情報であってもよく、また貨幣の入金、出金や精査など、貨幣の動きに関する情報のみとすることであってもよい。操作者は、送りボタンＢ５１、Ｂ５２にタッチすることで、リストＬ５１を時間軸方向に遷移させることができる。図１３（ａ）に示すように、リストＬ５１には、クイック精査処理に関する項目（イベント）Ｅ５１が含まれ得る。この項目Ｅ５１には、クイック精査処理が実行された日時とともに、どの貨幣収容部に対して計数を行ったかをブロック単位で示す表記が含まれる。ここでは、紙幣のブロックに対して計数が行われたことが表記されている。
【０１６０】
操作者は、項目Ｅ５１にタッチすることにより、クイック精査処理の詳細な結果を表示させることができる。たとえば、操作者が項目Ｅ５１にタッチすると、図１３（ｂ）の画面が表示される。この画面には、図１０（ａ）と同様の画像Ｄ１０、Ｄ２０と、ボタンＢ５３、Ｂ５４が含まれている。
【０１６１】
画像Ｄ１０の表示要素Ｄ１１ａ〜Ｄ１１ｃ、Ｄ１２ａ、Ｄ１２ｂおよび画像Ｄ２０の表示要素Ｄ２１ａ〜Ｄ２１ｆ、Ｄ２２のうち、当該クイック精査処理において計数が行われた貨幣収容部に対応する表示要素が、他の表示要素と区別可能に表示される。たとえば、当該クイック精査処理において計数が行われた貨幣収容部に対応する表示要素に所定の色が付される。ここでは、３つの表示要素Ｄ１１ａ〜Ｄ１１ｃに色が付され、これにより、紙幣入出金ユニット１１に設けられた３つの紙幣スタッカ１８０に対して計数が行われ、その他の貨幣収容部に対しては計数が行われなかったことが示されている。
【０１６２】
操作者は、ボタンＢ５３にタッチすることにより、さらに、図１２（ｂ）に示した画面を表示させることができる。これにより、操作者は、当該クイック精査処理における詳細な精査結果を確認できる。また、操作者は、ボタンＢ５４にタッチすることにより、画面を図１３（ａ）の画面Ｄ５０に戻すことができる。こうして、操作者は、電子ジャーナルを確認しながら、クイック精査処理の内容を確認することができる。たとえば、操作者は、図１３（ｂ）に示した画面と図１３（ａ）に示した電子ジャーナルの画面Ｄ５０とを参照することにより、電子ジャーナルにおいてエラーが検出された貨幣収容部に対し、クイック精査処理において貨幣の計数が適切に行われたか否かを確認することができる。
【０１６３】
＜実施形態の効果＞
本実施形態によれば、以下の効果が奏され得る。
【０１６４】
制御部３１によって自動で貨幣収容部（紙幣スタッカ１８０、紙幣カセット１７０、硬貨スタッカ２０２、硬貨カセット２１３）に対するクイック精査処理が行われるため、操作者が貨幣を計数して精査を行う場合に比べ、操作者の負担を顕著に軽減できる。また、貨幣の在高が不確定となり得る事象が生じたか否かに基づいて、クイック精査処理において貨幣を計数すべき貨幣収容部が設定されるため、精査を行うべき貨幣収容部に対して適切に、貨幣の精査が行われ得る。さらに、その他の貨幣収容部に対しては、貨幣の計数が行われないため、クイック精査処理に要する時間を短縮できる。したがって、本実施形態に係る貨幣入出金機１によれば、操作者の負担を軽減しながら効率的に貨幣収容部に対する精査を行うことができる。
【０１６５】
また、本実施形態では、貨幣の計数対象が、貨幣の在高が不確定となり得る事象が生じた貨幣収容部のみに絞られるため、精査処理をより効率的に進めることができる。
【０１６６】
また、図１０（ａ）、（ｂ）および図１１（ａ）、（ｂ）に示したとおり、クイック精査処理の実行中に、貨幣の計数対象に設定された貨幣収容部が操作表示部１８に表示されるため、操作者は、計数対象とされた貨幣収容部を、クイック精査処理の実行中に知ることができ、精査処理が完了するまでに要する時間を概ね把握することができる。また、操作者は、この表示を参照することにより、エラーが生じた貨幣収容部等、計数対象とすべき貨幣収容部に対して計数がなされるか否かを確認することができる。
【０１６７】
また、図１０（ｂ）および図１１（ｂ）に示したとおり、貨幣の計数が完了した貨幣収容部と、貨幣を計数中の貨幣収容部と、貨幣の計数待ちの貨幣収容部とが区別可能となるように、貨幣の計数対象に設定された貨幣収容部が表示されるため、操作者は、計数対象とされた貨幣収容部に対する計数処理の進行状況を知ることができる。したがって、操作者は、貨幣収容部に対する精査が適切に進められていること、および、精査処理完了までの大まかな残時間を把握することができる。
【０１６８】
また、図１１（ｂ）に示したとおり、計数処理において新たに計数対象となった貨幣収容部（ここでは、硬貨カセット２１３）がクイック精査処理の途中で表示されるため、操作者は、より適切に、クイック精査処理の状況を把握でき、適宜、必要な作業を行うことができる。
【０１６９】
また、図１２（ａ）、（ｂ）および図１３（ａ）、（ｂ）に示したとおり、クイック精査処理の後に、貨幣の計数を行った貨幣収容部が表示されるため、操作者は、クイック精査処理の後に、貨幣の計数を行った貨幣収容部を把握でき、各貨幣収容部に対する精査処理の内容を確認することができる。また、操作者は、これらの表示を参照することにより、エラーが生じた貨幣収容部等、計数対象とすべき貨幣収容部に対して適切に計数がなされたかを確認することができる。
【０１７０】
なお、操作者は、図１２（ａ）、（ｂ）および図１３（ａ）、（ｂ）以外の方法によっても、クイック精査処理の後に、適宜、記憶部３２から情報を読み出して、クイック精査処理においてどの貨幣収容部に対して計数が行われたかを確認することができる。また、メンテナンス等の場面においても、記憶部３２から情報を読み出して、精査処理においてどの貨幣収容部に対して計数が行われたかを確認することができる。
【０１７１】
また、図１３（ａ）、（ｂ）に示したように、操作者は、処理履歴（電子ジャーナル）の確認中に、適宜、当該処理履歴に含まれているクイック精査処理の項目Ｅ５１を指定することにより、簡便に、当該クイック精査処理においてどの貨幣収容部に対して計数が行われたかを確認することができる。したがって、操作者は、処理履歴（電子ジャーナル）を参照しながら、エラーが生じた貨幣収容部等、計数が行われるべき貨幣収容部について、適切に計数が行われたか否かを確認することができる。
【０１７２】
＜変更例１＞
上記実施形態では、クイック精査処理において、在高が不確定となり得る事象が生じた貨幣収容部のみが計数対象に設定されたが、本変更例１では、クイック精査処理において、在高が不確定となり得る事象が生じた貨幣収容部とともに、操作者により指定された貨幣収容部が、貨幣の計数対象に設定される。
【０１７３】
図１４（ａ）、（ｂ）は、クイック精査処理において貨幣を計数すべき貨幣収容部の指定を受け付けるための画面を示す図である。
【０１７４】
図１４（ａ）に示すように、この画面には、図１０（ａ）と同様の画像Ｄ１０、Ｄ２０と、ボタンＢ６１が含まれている。
【０１７５】
図１０（ａ）と同様、画像Ｄ１０の表示要素Ｄ１１ａ〜Ｄ１１ｃ、Ｄ１２ａ、Ｄ１２ｂおよび画像Ｄ２０の表示要素Ｄ２１ａ〜Ｄ２１ｆ、Ｄ２２のうち、当該クイック精査処理において、在高が不確定であるため計数対象に設定された貨幣収容部に対応する表示要素が、他の表示要素と区別可能に表示される。ここでは、３つの表示要素Ｄ１１ａ〜Ｄ１１ｃに所定の色が付され、これにより、紙幣入出金ユニット１１に設けられた３つの紙幣スタッカ１８０が計数対象に設定されていることが示されている。
【０１７６】
操作者は、色が付された表示要素Ｄ１１ａ〜Ｄ１１ｃ以外の表示要素Ｄ１２ａ、Ｄ１２ｂ、Ｄ２１ａ〜Ｄ２１ｆ、Ｄ２２にタッチすることにより、他の貨幣収容部を計数対象に含めることができる。たとえば、図１４（ｂ）では、操作者により表示要素Ｄ２１ｃ〜Ｄ２１ｆがタッチされ、これら表示要素Ｄ２１ｃ〜Ｄ２１ｆに対応する４つの硬貨スタッカ２０２が追加の計数対象として選択されている。これらの表示要素Ｄ２１ｃ〜Ｄ２１ｆは、表示要素Ｄ１１ａ〜Ｄ１１ｃと同じ色が付されて、他の表示要素と区別可能となっている。
【０１７７】
なお、操作者は、選択した表示要素に再度タッチすることにより選択を解除することができる。たとえば、選択した表示要素Ｄ２１ｃに対応する硬貨スタッカ２０２を計数対象から外す場合、操作者は、再度、表示要素Ｄ２１ｃにタッチする。これにより、表示要素Ｄ２１に付された色が消え、表示要素Ｄ２１ｃに対応する硬貨スタッカ２０２が計数対象から外される。
【０１７８】
ただし、在高が不確定であるために計数対象に設定された貨幣収容部は、操作者による操作により計数対象から外されることはない。すなわち、図１４（ａ）、（ｂ）の状態において、３つの紙幣スタッカ１８０に対応する表示要素Ｄ１１ａ〜Ｄ１１ｃが操作者によりタッチされたとしても、表示要素Ｄ１１ａ〜Ｄ１１ｃに付された色が消失することはなく、これらの表示要素Ｄ１１ａ〜Ｄ１１ｃに対応する紙幣スタッカ１８０が、計数対象から外されることがない。
【０１７９】
したがって、これらの貨幣収容部に対応する表示要素Ｄ１１ａ〜Ｄ１１ｃは、操作者によって選択された貨幣収容部に対応する表示要素Ｄ２１ｃ〜Ｄ２１ｆと異なる態様で表示することとしてもよい。たとえば、図１５（ａ）、（ｂ）に示すように、在高が不確定であるために計数対象に設定された貨幣収容部に対応する表示要素Ｄ１１ａ〜Ｄ１１ｃの枠が他の表示要素よりも太く表示されてもよい。この他、これらの表示要素Ｄ１１ａ〜Ｄ１１ｃとその他の表示要素とで塗りつぶしの色が変えられてもよい。
【０１８０】
こうして計数対象の貨幣収容部が指定された後、ボタンＢ６１がタッチされると、在高が不確定であるために計数対象に設定された貨幣収容部と、操作者により指定された貨幣収容部とに対して、計数処理が実行される。たとえば、図１４（ｂ）の状態でボタンＢ６１がタッチされると、表示要素Ｄ１１ａ〜Ｄ１１ｃに対応する３つの紙幣スタッカ１８０と、表示要素Ｄ２１ｃ〜Ｄ２１ｆに対応する４つの硬貨スタッカ２０２とに対して、貨幣の計数処理が行われる。
【０１８１】
図１６（ａ）は、本変更例に係る、クイック精査処理のフローチャートの一部を示す図である。
【０１８２】
図１６（ａ）に示すように、本変更例では、図９のフローチャートのステップＳ３０６とＳ３１４の間に、ステップＳ３２１〜Ｓ３２３が追加されている。その他のステップは、図９のフローチャートと同様であるため、ここでは説明を省略する。
【０１８３】
ステップＳ３０６の後、制御部３１は、図１４（ａ）に示した画面（追加受付画面）を操作表示部１８に表示させ、操作者による貨幣収容部の指定を受け付ける（Ｓ３２１）。この画面において、操作者により計数対象に含める貨幣収容部が指定され、その後、ボタンＢ６１がタッチされると（Ｓ３２２：ＹＥＳ）、制御部３１は、操作者により指定された貨幣収容部を計数対象に追加する（Ｓ３２３）。この場合、ステップＳ３１４では、図９のステップＳ３０４、Ｓ３０７、Ｓ３１０、Ｓ３１３に基づいて設定された貨幣収容部と、ステップＳ３２３で追加された貨幣収容部とに対して計数が行われる。
【０１８４】
図１４（ａ）に示した画面（追加受付画面）において計数対象に含める貨幣収容部が指定されなかった場合、制御部３１は、ステップＳ３２３をスキップする。この場合、ステップＳ３１４では、図９のステップＳ３０４、Ｓ３０７、Ｓ３１０、Ｓ３１３に基づいて設定された貨幣収容部のみに対して計数が行われる。
【０１８５】
本変更例によれば、貨幣の在高が不確定となり得る事象が生じた貨幣収容部の他に、操作者が、計数を行うべき貨幣収容部を指定できるため、精査処理の効率化を図りつつ、貨幣入出金機１の利便性を高めることができる。たとえば、操作者は、当該貨幣入出金機１による処理以外の事象により在高が不確定となり得る貨幣収容部が想定され得る場合に、その貨幣収容部を精査の対象に含めることができ、より適切に、各貨幣収容部における在高の適否を確認することができる。
【０１８６】
なお、変更例１は、以下の変更例２、３にも適宜、適用可能である。
【０１８７】
＜変更例２＞
上記実施形態では、クイック精査処理において、在高が不確定となり得る事象が生じた貨幣収容部のみが計数対象に設定されたが、本変更例２では、在高が不確定となり得る事象が生じた貨幣収容部とともに、当該貨幣収容部と同一の金種の貨幣を収容する前記貨幣収容部が貨幣の計数対象に設定される。たとえば、所定金種の紙幣の枚数が、当該金種に対応する紙幣スタッカ１８０の容量を超えた場合、余剰の紙幣が２つの紙幣カセット１７０の何れかに収容される場合がある。この場合、紙幣の枚数が容量を超えた紙幣スタッカ１８０が在高不確定のために計数対象に設定されると、余剰の紙幣を収容する紙幣カセット１７０がさらに計数対象に含められる。
【０１８８】
図１６（ｂ）は、本変更例に係る、クイック精査処理のフローチャートの一部を示す図である。
【０１８９】
図１６（ｂ）に示すように、本変更例では、図９のフローチャートのステップＳ３０６とＳ３１４の間に、ステップＳ３３１が追加されている。その他のステップは、図９のフローチャートと同様であるため、ここでは説明を省略する。
【０１９０】
ステップＳ３０６の後、制御部３１は、計数対象の貨幣収容部と同一金種を収容する他の貨幣収容部を計数対象に設定する（Ｓ３３１）。これにより、ステップＳ３１４では、図９のステップＳ３０４、Ｓ３０７、Ｓ３１０、Ｓ３１３に基づいて設定された貨幣収容部と、ステップＳ３３１で設定された同一金種の貨幣収容部とに対して計数が行われる。
【０１９１】
この構成によれば、クイック精査処理において、在高が不確定となり得る貨幣収容部とともに、当該貨幣収容部と同一金種の貨幣収容部について貨幣の計数が行われるため、各金種の在高をより適切に精査することができる。
【０１９２】
＜変更例３＞
上記実施形態では、２つの紙幣カセット１７０のグループと３つの紙幣スタッカ１８０のグループについて、それぞれ、在高不確定となり得る事象が生じたかが判定されたが、本変更例３では、紙幣入出金ユニット１１全体に対して、在高不確定となり得る事象が生じたかが判定される。この場合、在高不確定となり得る事象として、たとえば、以下の事象が挙げられ得る。
【０１９３】
＜紙幣入出金ユニット１１の在高＞
（２１）紙幣入出金ユニット１１が異常状態になったこと。
（２２）扉１０ｃが開けられ支持ユニット１９０が引き出されたこと。
（２３）紙幣カセット１７０が抜き取られたこと。
（２４）リジェクトボックス１７が抜き取られたこと。
（２５）電源オフ時に扉１０ｃが開けられたこと。
【０１９４】
前回の精査処理の後に、これら（２１）〜（２５）の事象の何れかが生じた場合、クイック精査処理において、紙幣入出金ユニット１１の設置された２つの紙幣カセット１７０と３つの紙幣スタッカ１８０が、紙幣の計数対象に設定される。
【０１９５】
図１７は、本変更例に係る、クイック精査処理を示すフローチャートである。
【０１９６】
図１７に示すように、本変更例では、図９のフローチャートのステップＳ３０８〜Ｓ３１３が、ステップＳ３４１〜Ｓ３４３に置き換えられている。その他のステップは、図９のフローチャートと同様であるため、ここでは説明を省略する。
【０１９７】
操作者により紙幣入出金ユニット１１に対するクイック精査処理が指定された場合（Ｓ３０１：紙幣）、制御部３１は、紙幣入出金ユニット１１の在高が確定しているか否かを判定する（Ｓ３４１）。具体的には、制御部３１は、前回の精査処理の後に、上述の事象（２１）〜（２５）の何れも生じていない場合に、紙幣入出金ユニット１１の金額が確定していると判定する。この判定は、図８（ａ）のステップＳ１０３で取得したログ情報に基づいて行われる。
【０１９８】
紙幣入出金ユニット１１の金額が確定している場合（Ｓ３４１：ＹＥＳ）、制御部３１は、全ての紙幣スタッカ１８０および全ての紙幣カセット１７０を計数の対象外に設定し（Ｓ３４２）、処理をステップＳ３１４に進める。他方、紙幣入出金ユニット１１の金額が確定していない場合（Ｓ３４１：ＮＯ）、すなわち、前回の精査処理の後に、上述の事象（２１）〜（２５）の何れかが生じた場合、制御部３１は、全ての紙幣スタッカ１８０および全ての紙幣カセット１７０を計数の対象に設定し（Ｓ３４３）、処理をステップＳ３１４に進める。
【０１９９】
このように、本変更例では、クイック精査処理において、紙幣入出金ユニット１１全体が計数の対象または対象外に設定される。よって、図１０（ａ）の画面では、紙幣入出金ユニット１１が計数対象に設定されると、表示要素Ｄ１１ａ〜Ｄ１１ｃおよび表示要素Ｄ１２ａ、Ｄ１２ｂの全てに所定の色が付されることになる。
【０２００】
なお、紙幣入出金ユニット１１の在高が確定されているか否かを判定するための事象は、上記（２１）〜（２５）に挙げた事象に限られるものではない。また、本変更例３では、紙幣入出金ユニット１１全体に対して、在高が確定しているか否かが判定されたが、硬貨入出金ユニット１２全体に対して、在高が確定しているか否かが判定されてもよい。
【０２０１】
＜その他の変更例＞
上記実施形態では、図１０（ｂ）、図１１（ｂ）に示したように、計数対象の貨幣収容部に対する計数処理の進行状況が画像Ｄ１０、Ｄ２０により示されたが、図１８（ａ）のように、クイック精査処理における計数動作の進行状況が、文字により示されてもよい。図１８（ａ）の画面Ｄ７０では、領域Ｒ７１において、各金種（貨幣収容部）に対する計数処理の進行状況が文字により示され、領域Ｒ７２に、計数対象の貨幣収容部が画像Ｄ７１、Ｄ７２により示されている。図１０（ａ）と同様、画像Ｄ７１、Ｄ７２には、計数対象の貨幣収容部に対応する表示要素に所定の色が付されている。なお、領域Ｒ７２が省略され、文字のみで、クイック精査処理における計数動作の進行状況が示されてもよい。
【０２０２】
また、図１８（ｂ）に示すように、クイック精査処理において、計数を行った貨幣収容部を特定する情報が、制御部３１から上位端末２に送信されてもよい（Ｓ３５１）。図１８（ｂ）のフローチャートでは、図９のフローチャートのステップＳ３１４の後に、ステップＳ３５１が追加されている。その他のステップは、図９のフローチャートと同様である。この構成によれば、操作者は、計数が行われた貨幣収容部を上位端末において確認することができる。
【０２０３】
また、クイック精査処理において、計数処理が終了した貨幣収容部のうち、在高不一致が生じた貨幣収容部の表示要素を、在高が一致した貨幣収容部の表示要素と異なる色で表示するようにしてもよい。これによって操作者は、計数動作の途中において、計数済みの貨幣収容部に在高不一致が生じたか否かを確認することができる。
また、図１９（ａ）に示すように、クイック精査処理において、計数対象とされた貨幣収容部の表示要素に対し、ログにより管理されている貨幣の枚数を示す情報が付記されてもよい。ここでは、表示要素Ｄ１１ａ〜Ｄ１１ｃに対応する紙幣スタッカ１８０についてログにより管理されている貨幣の枚数が、表示要素Ｄ１１ａ〜Ｄ１１ｃに括弧書きで付記されている。これにより、操作者は、クイック精査に要する時間をより正確に予測することができる。
【０２０４】
なお、この変更例では、図１９（ｂ）に示すように、計数処理が終了した貨幣収容部の表示要素に、計数に基づく貨幣の枚数がさらに表示されてもよい。ここでは、表示要素Ｄ１１ｃに対応する紙幣スタッカ１８０の計数が終了し、その計数結果が８９０枚であったことが、表示要素Ｄ１１ｃに付記されている。表示要素Ｄ１１ｂに対応する紙幣スタッカ１８０は、図１０（ｂ）と同様、計数中の状態にある。操作者は、図１９（ｂ）の表示を参照することにより、計数動作の途中において、計数済みの貨幣収容部に在高不一致が生じたか否かを確認することができる。
【０２０５】
また、クイック精査処理において、計数対象とされた貨幣収容部の表示要素に対し、ログにより管理されている貨幣の枚数を基に計算される各貨幣収容部に対する精査計数時間が表示されてもよい。これにより、操作者は、クイック精査に要する時間をより正確に予測することができる。
【０２０６】
なお、この変更例では、計数中の収容部については残り計数時間が計数中収容部の表示要素中に表示されてもよい。
【０２０７】
さらに、上記実施形態では、記憶部３２に、ログ情報として精査処理の結果とともに、どの貨幣収容部に対して計数が行われたかを示す情報が含まれることとしたが、この情報として計数を行った貨幣収容部ごとに実際にかかった計数時間を記憶させることとしてもよい。これにより、たとえば点検の際に、保守員が各貨幣収容部の繰出効率を容易に把握することができる。
【０２０８】
また、上記実施形態では、操作表示部１８が操作部と表示部とが一体化された構成であったが、操作部と表示部とが別体であってもよく、あるいは、操作表示部１８が本体１０ａとは別に設けられ、無線または有線により本体１０ａ側と接続された構成であってもよい。この場合、図４および図５に示した制御部３１、記憶部３２および通信部３３が、操作表示部１８側に設けられてもよい。この場合の操作表示部１８として上位端末２を用いることとしてもよい。
【０２０９】
また、上記実施形態では、紙幣入出金ユニット１１および硬貨入出金ユニット１２を備える貨幣入出金機１が、本発明の貨幣処理装置の一例として示されたが、紙幣入出金ユニット１１のみを備える紙幣入出金機または硬貨入出金ユニット１２のみを備える硬貨入出金機に本発明が適用されてもよい。
【０２１０】
また、貨幣処理システムは、上記実施形態に示した構成に限らず、貨幣処理装置と、当該貨幣処理装置に通信可能に接続された操作端末とから構成される他のシステム形態であってもよい。この場合、精査処理を行う制御部は、貨幣処理装置側と操作端末の何れにあってもよく、また、貨幣処理装置側と操作端末の双方にそれぞれ配置された制御部が精査処理の制御を分担する形態であってもよい。
【０２１１】
また、特に、貨幣が紙幣である場合に、計数対象の貨幣収容部として、第１の計数対象の貨幣収容部と第２の計数対象の貨幣収容部が設定されてもよい。第１の計数対象の貨幣収容部は、貨幣収容部に収容されたすべての貨幣が計数されて在高が確定される貨幣収容部である。第２の計数対象の貨幣収容部は、貨幣収容部に収容された貨幣の貨幣番号と収納順序を関連付けた紙幣番号リストと、貨幣収容部に収容された一部の貨幣の貨幣番号とが照合されることにより在高が確定される貨幣収容部である。制御部３１は、精査処理において、複数の貨幣収容部のそれぞれに対し、貨幣の在高が不確定となり得る事象が生じたか否かに基づいて、第１の計数対象の前記貨幣収容部または第２の計数対象の貨幣収容部を設定する。
【０２１２】
記憶部３２は、紙幣スタッカ１８０に収納している紙幣の紙幣番号と収納順序を関連付けた紙幣番号リストを記憶している。紙幣の紙幣番号と、紙幣の収納枚数に対応する通り番号とを関連付けて記憶してもよい。紙幣番号リストは、入金処理や出金処理により、紙幣スタッカ１８０への紙幣の収納や紙幣スタッカ１８０からの紙幣の繰り出しに伴い更新される。
【０２１３】
第２の計数対象の貨幣収容部としての紙幣スタッカ１８０に対する精査処理を説明する。紙幣の流れは、前述した通常精査処理と同じである。紙幣スタッカ１８０から紙幣が繰り出され計数される。紙幣は、計数されることにより、少なくとも紙幣の紙幣番号が読み取られる。読み取られた紙幣番号が、紙幣番号リストと照合される。連続して繰り出されたＮ枚（Ｎは１以上の自然数）の紙幣の紙幣番号が、紙幣番号リストに順序通りに存在する場合、紙幣スタッカ１８０に残っている紙幣の紙幣番号と収納順序は、記憶している紙幣番号リストと合致すると判定される。この場合、紙幣スタッカ１８０に残っている紙幣の在高は、紙幣番号リストに基づいて確定される。紙幣スタッカ１８０から繰り出された紙幣を紙幣スタッカ１８０に戻し、確定された在高を更新してもよい。Ｎの値は適宜変更できる。紙幣スタッカ１８０が、内部での紙幣の収容順序の入れ替わりが発生する可能性が少ない収容部である場合は、Ｎ＝１であってもよい。
【０２１４】
制御部３１は、精査処理において、複数の貨幣収容部のそれぞれに対し、貨幣の在高が不確定となり得る事象の種類に基づいて、第１の計数対象の前記貨幣収容部と第２の計数対象の貨幣収容部のいずれかを設定してもよい。たとえば、以下の事象のうち、（３）の場合に、第２の計数対象の貨幣収容部を設定し、それ以外の場合に、第１の計数対象の貨幣収容部を設定してもよい。
【０２１５】
（１）紙幣入出金ユニット１１が異常状態になったこと。
（２）扉１０ｃが開けられ支持ユニット１９０が引き出されたこと。
（３）出金時にリジェクト紙幣が発生したこと。
（４）リジェクトボックス１７が抜き取られたこと。
（５）電源オフ時に扉１０ｃが開けられたこと。
【０２１６】
また、制御部３１は、精査処理において、複数の貨幣収容部のそれぞれに対し、貨幣の在高が不確定となり得る事象に基づいて、第１の計数対象の前記貨幣収容部と第２の計数対象の貨幣収容部のいずれかを必ず設定するようにしてもよい。
【０２１７】
この変更例では、たとえば、図９のステップＳ３１０が、図２０（ａ）の処理に置き換えられる。
【０２１８】
すなわち、制御部３１は、図９のステップＳ３０８において、紙幣スタッカ１８０の金額が確定していないと判定すると（Ｓ３０８：ＮＯ）、当該紙幣スタッカ１８０がショート精査条件を充足するか否かを判定する（Ｓ３５１）。ここで、ショート精査条件は、たとえば、上記（１）〜（５）の事象のうち（３）の事象のみが当該紙幣スタッカ１８０に対して生じたことに設定される。ステップＳ３５１の判定がＹＥＳの場合、制御部３１は、当該紙幣スタッカ１８０を、上述の第２の計数対象に設定する。他方、ステップＳ３５１の判定がＮＯの場合、制御部３１は、当該紙幣スタッカ１８０を、上述の第１の計数対象に設定する。制御部３１は、３つの紙幣スタッカ１８０に対して、それぞれ、ステップＳ３５１〜Ｓ３５３の処理を実行し、各紙幣スタッカ１８０を、第１の計数対象または第２の計数対象に設定する。
【０２１９】
この場合、制御部３１は、図９のステップＳ３１４において、第２の計数対象に設定された紙幣スタッカ１８０に対し、図２０（ｂ）の処理を実行する。すなわち、制御部３１は、第２の計数対象に設定された紙幣スタッカ１８０から、順番に紙幣を繰り出して計数を実行する（Ｓ３６１）。
【０２２０】
各紙幣の計数に並行して、制御部３１は、各紙幣から読み取られた紙幣番号と、記憶部３２に格納されている当該紙幣スタッカ１８０の紙幣番号リスト（図２０（ｃ）参照）を対照する（Ｓ３６２）。連続するＮ枚の紙幣の紙幣番号が、紙幣番号リストの順序どおりに存在する場合（Ｓ３６２：ＹＥＳ）、制御部３１は、紙幣の繰出しおよび計数を中止し、当該紙幣スタッカ１８０の在高を、紙幣番号リストに基づき確定させる（Ｓ３６３）。他方、連続するＮ枚の紙幣の紙幣番号が、紙幣番号リストの順序どおりに存在しない場合（Ｓ３６２：ＮＯ）、制御部３１は、紙幣の繰出しおよび計数を継続し、当該紙幣スタッカ１８０の全ての紙幣を計数して、当該紙幣スタッカ１８０の在高を確定させる（Ｓ３６４）。
【０２２１】
この処理によれば、在高が不確定の紙幣スタッカ１８０に対して、より迅速に、在高を確定させることができる。また、連続するＮ枚の紙幣の紙幣番号が、紙幣番号リストの順序どおりに存在しない場合は、全て紙幣が計数されて在高が確定されるため、適切に精査を行い得る。
【０２２２】
なお、ここでは、紙幣スタッカ１８０に対して図２０（ａ）、（ｂ）の処理が実行されたが、紙幣カセット１７０に対して同様の処理が実行されてもよい。また、硬貨を収容する収容部に硬貨が順番に収納される場合は、この収容部に対して、同様の処理が実行されてもよい。これらの場合、ステップＳ３５１の条件は、各収容部の在高が不確定となる事象に応じて設定されればよい。
【０２２３】
この他、本発明の実施形態は、特許請求の範囲に記載の範囲で適宜変更可能である。
【符号の説明】
【０２２４】
１  貨幣入出金機（貨幣処理装置）
２  上位端末
１８  操作表示部
３１  制御部
３２  記憶部
１７０  紙幣カセット（貨幣収容部）
１８０  紙幣スタッカ（貨幣収容部）
２０２  硬貨スタッカ（貨幣収容部）
２１３  硬貨カセット（貨幣収容部）
【図１】
2019142694.tif 000003
【図２】
2019142694.tif 000004
【図３】
2019142694.tif 000005
【図４】
2019142694.tif 000006
【図５】
2019142694.tif 000007
【図６】
2019142694.tif 000008
【図７】
2019142694.tif 000009
【図８】
2019142694.tif 000010
【図９】
2019142694.tif 000011
【図１０】
2019142694.tif 000012
【図１１】
2019142694.tif 000013
【図１２】
2019142694.tif 000014
【図１３】
2019142694.tif 000015
【図１４】
2019142694.tif 000016
【図１５】
2019142694.tif 000017
【図１６】
2019142694.tif 000018
【図１７】
2019142694.tif 000019
【図１８】
2019142694.tif 000020
【図１９】
2019142694.tif 000021
【図２０】
2019142694.tif 000022
【国際調査報告】
2019142694.tif 000023
2019142694.tif 000024
2019142694.tif 000025
2019142694.tif 000026